(57)【要約】【課題】  青、赤色等に見られる様な（正）反対の注意色にスピードを持たせ、交互に撮し出させて、スピードのある物を操縦する被試験者に見せ続けると、之れ等は、大変目立った色彩色にはなるものの、やがては、脳視神経に忌避（ダメージ）を与え易くなる時、之れを「拒絶色」と命名し、被試験等は、之の色合いを持つ物から離れようとして、速度を落とす等の事実がある事が発明（発見）された。課題が生じた。【解決手段】  然るに、この本論文案件で発見（発明）される「拒絶色」を透明性（色）のある傘（布）等に配色、塗布してみると、スピードのある物を操縦している者達は、之の傘の色彩色を見る時、（立証実験から、）忌避性を感じ易くなり、スピード出力等を落とす等の安全な行動を多く為する事が見受けられる様になった。この色彩拒絶色を本願発明、「交通事故被災防止用傘」に配色塗布をした。【選択図】図２０
2019198616.tif 000002
【特許請求の範囲】
【請求項１】
本（願）発明デザイン色に指定されて、発明される、色彩（拒絶）色中、之れをして、日傘をも含ませ、透明性（色）のものは、大陽光（ｕｖ）カットできる傘布迄を用い、之れを光沢のある、ビニール傘布と傘の柄の部分、部分に三重模様にする、第一重目の円模様の中心部分には、赤（強陽性）色にし、二重目の円模様は、白（弱陰陽性）色にし、その外側の三重目の円模様は、ピンク（中陽性）色の強い反射布を配色塗布して造られ、第四図に示す、「パロット赤白ピンク拒絶色三重円形模様付ｕｖカット付安全傘（Ｔ．８０２）」
【請求項２】
本（願）発明デザイン色に指定されて、発明される、色彩（拒絶）色中、之れをして、日傘をも含ませ、透明性（色）のものは、太陽光（ｕｖ）カットできる傘布迄を用い、之れを光沢のある、ビニール傘布の部分部分に陰陽性反対（逆）色の太い二重模様の（内、外側を）三角マークにして、白（若しくは黄）色と反対（逆）色となる黒色の会意（混合）色で造られて、第三図に示す、「パロット白（黄）黒色三角形（拒絶色）模様付ｕｖカット付安全傘（Ｔ．８０３）」
【請求項３】
本（願）発明デザイン色に指定されて、発明される色彩（拒絶）色中、之れをして、日傘をも含ませ、透明性（色）のものは、太陽光（ｕｖ）カットできる傘布迄を用い、之れを光沢のある、ビニール傘布の部分部分に陰陽性反対（逆）色の太い二重模様の（内、外側を）三角マークにして、白（若しくは黄）色と反対（逆）色となる紫色の会意（混合）色で造られて、第三図に示す、「パロット白（黄）紫色三角形（拒絶色）模様付ｕｖカット付安全傘（Ｔ．８０４）」
【請求項４】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のある、ビニール傘布の部分部分に陰陽性反対（逆）色の太い二重模様の（内、外側を）三角マークにして、白（若しくは黄）色と反対（逆）色となる青色の会意（混合）色で造られて、第三図に示す、「パロット白（黄）青色三角形（拒絶色）模様付ｕｖカット付安全傘（Ｔ．８０５）」
【請求項５】
本（願）発明デザイン色に指定されて発明される色彩（拒絶）色中、之れをして、日傘をも含ませ、透明性（色）のものは、大陽光（ｕｖ）カットできる傘布迄を用い、之れを光沢のある、ビニール傘布の部分部分に陰陽性反対（逆）色の太い二重模様の（内、外側を、）三角マークにして、白（若しくは黄）色と反対（逆）色となる緑色の会意（混合）色で造られて、第三図に示す、「パロット白（黄）緑色三角形（拒絶色）模様付ｕｖカット付安全傘（Ｔ．８０６）」
【請求項６】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のある、ビニール傘布の部分部分に陰陽性反対（逆）色の太い二重模様の（内、外側を、）三角マークにして、白（若しくは、黄）色と反対（逆）色となる竹色の会意（混合）色で造られて、第三図に示す、「パロット白（黄）竹色三角形（拒絶色）模様付ｕｖカット付安全傘（Ｔ．８０７）」
【請求項７】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のあるビニール傘布の部分部分に陰陽性反対（逆）色の太い二重模様の（内、外側を、）三角マークにして、（対抗して、）反対（逆）拒絶色となるピンク色の会意（混合）色で造られて、第三図に示す、「パロット赤ピンク三角形（拒絶色）模様付ｕｖカット付安全傘（Ｔ．８０８）」
【請求項８】
本（願）発明デザイン色に指定されて発明される、色彩（拒絶）色中、之れをして、日傘をも含ませ、透明性（色）のものは、太陽光（ｕｖ）カットできる傘布迄を用い、之れを光沢のある、ビニール傘布の部分部分に陰陽性反対（逆）色の太い二重模様の（内、外側を）三角マークにして、赤色と（対抗して、）反対（逆）拒絶色となる、白（若しくは黄）色の会意（混合）色で造られて、第三図に示す、「パロット赤白（黄）色三角形（拒絶色）模様付ｕｖカット付安全傘（Ｔ．８０９）」
【請求項９】
本（願）発明デザイン色に指定されて発明される、色彩（拒絶）色中、之れをして、日傘をも含ませ、透明性（色）のものは、太陽光（ｕｖ）カットのできる傘布迄を用い、之れを光沢のある、ビニール傘布の部分部分に陰陽性反対（逆）色の太い二重模様の（内、外側を）三角マークにして造り、外側の三角形模様は、赤（強陽性）色にし、内側の対抗色となる、黒、紫、青色等の（陰性色にある、）三角模様は、第三図に示す、「パロット赤（黒紫青）色三角形（拒絶色）模様付安全傘（Ｔ．８１０）」
【請求項１０】
本（願）発明デザイン色に指定されて発明される、色彩（拒絶）色中、之れをして、日傘をも含ませ、透明性（色）のものは、太陽光（ｕｖ）カットのできる傘布迄を用い、之れを光沢のある、ビニール傘布の部分部分に陰陽性反対（逆）色の太い三重模様の亀甲色マークにして、造り、亀甲マークの中心部には、赤（強陽性）色等を配色塗布し、二重目には、反対色となる緑（中陰性）色を配色塗布し、その外側の三重目には、又、反対色となる赤（強陽性）色等亀甲（色）模様にして、配色塗布し、之の傘の柄の下地色には、緑色を用い、そこの合間、合間には、（小さ目の、）数多くの亀甲色模様を多く塗り込んで配色塗布している事を図５に示す、「パロット赤緑色等、亀甲（拒絶色）模様付ｕｖカット付安全傘（Ｔ．８１１）」
【請求項１１】
本（願）発明デザイン色に指定されて発明される、色彩（拒絶）色中、之れをして、日傘をも含ませ、透明性（色）のものは、太陽光（ｕｖ）カットのできる傘布迄を用い、本（願）発明デザイン色に指定される、第一次色目には、紫（強陰性）色を配色塗布し、第二次色目の中心部には、オレンヂ（中陽性）色の反対（逆）拒絶色を挟み込み、第三次色となる外側には、又、紫（強陰性）等色等を配色塗布しながら、之の傘の柄にも第一次色には、オレンヂ色を配色し、第二次色目には、紫色をして、その様に順次、繰り返して、配色、塗布される「拒絶色」を傘の図柄模様にして造られ、図６に示される、「パロットオレンヂ、紫色等枝垂れ模様（拒絶色）付ｕｖカット付安全傘（Ｔ．８１２）」
【請求項１２】
本（願）発明デザイン色に指定されて発明される、色彩（拒絶）色中、之れをして、日傘をも含ませ、透明性（色）のものは、太陽光（ｕｖ）カットのできる傘布迄を用い、本発明図と、発明符説で説明され、次から、示される虎模様を透明の傘に、塗布、若しくは、配色される、第一次色は、黄色を配色され、第二次色目には、黒色を配色する、黒（強陰性）色と、黄（弱陽性）色の間には、小さ目の赤（強陽性）色を配色塗布される、虎模様が傘布の裾部から傘の石突き部迄渦巻線状になって続いている事を図示する、傘の柄側でも、虎模様が配色、塗布される。その第一次色目は、小さ目の赤色を配色し、第二次色目は、黒色を配色し、第三次色目は、黄色を配色、塗布して造られ、図７に示す、「パロット黄赤黒色虎模様（拒絶色）付ｕｖカット付安全傘（Ｔ．８１３）」
【請求項１３】
本願発明デザイン色に指定されて発明される、「色彩拒絶色」中、本発明図と発明符説で説明され、次から示される、渦巻螺施状模様を透明の傘布に配色塗布される、第一次色は、赤（強陽性）色を配色され、第二次色目には、ピンク（中陽性）色を配色塗布し、第三次色は、白（弱陰性）色を配色塗布して出来ている事を示し、赤ピンク白色等の連続線模様が傘布の裾から傘の石突き部迄続いている事を図示する事と共に、傘の柄にも赤色を第一次色にし、第二次色をピンク色にし、第三次色を白色の互い違い色にし、配色塗布して造られ、図８に示される、パロット赤ピンク白色渦巻螺施模様（拒絶色）付ｕｖカット付安全傘（Ｔ．８１４）」
【請求項１４】
本願発明デザイン色に指定されて発明される、「色彩拒絶色」中、本発明図と発明符説で説明され、次から示される色彩（拒絶）色中、之れをビニールの透明の傘布にハウス形模様をして配色塗布する、第一重目の中心部（色）は、緑（中陰性）色にし、外側の第二重目の配色塗布は、オレンヂ（中陽性）色にし、更なる外側の三重目（色）には、又、緑（中陰性）色等にして造る他、之の傘の柄の色彩下地色には、緑色等を用い、そこにオレンヂ色のハウス形模様を配色塗布して造られ、図９に示される、「パロット緑オレンヂ色ハウス模様（拒絶色）付ｕｖカット付安全傘（Ｔ．８１５）」
【請求項１５】
本願発明デザイン色に指定されて発明される、「色彩拒絶色」中、本発明図と発明符説で説明され、次から示される色彩（拒絶）色中、之れをビニールの透明の傘布に三つ星模様にして配色塗布する、一番上の星模様は、オレンヂ（中陽性）色にし、左り下の星模様は、緑（中陰性）色にし、右下の星模様は、赤（強陽性）色にし、三色一組にして造られるものとし、之の傘の柄の下地色はオレンヂ（中陽性）色を配色して造る他、その合間、合間には、赤色の星模様や、青色の星模様等が配色塗布されて造られ、第１０図に示される、「パロット赤オレンヂ青色星模様（拒絶色）付ｕｖカット付安全傘（Ｔ．８１６）」
【請求項１６】
本（願）発明デザイン色に指定されて発明される、「色彩拒絶色」中、本発明図と発明符説で説明され、次から示される色彩（拒絶）色中、之れをして、透明性（色）のものは、太陽光（ｕｖ）カットできる傘布迄にも、「レの字（色）形を配色塗布し、之の配色される、第一重目の内側には、赤（強陽性）色を配色し、第二次色目の中心部には、オレンヂ（中陰陽性）色を配色し、第三次色目の外側には、青（強陰性）色を配色している図となり、傘の柄の下地色に青色を用い、そこに「オレンヂ色のレの字模様」や、赤色の「レの字模模様色」を数多く塗り込んで拒絶色模様となっている事を、第１１図に示される、「パロット赤黄青色レの字模様（拒絶色）付ｕｖカット付安全傘（Ｔ．８１７）」
【請求項１７】
本（願）発明デザイン色に指定されて発明される、「色彩拒絶色」中、本発明図と、発明符説で説明され、次から示される色彩（拒絶）色中、之れをして、透明性（色）のものは大陽光（ｕｖ）カットできる傘布迄にも「四角（色）形を配色」し、塗布する。第一重目の中心部には、赤（強陽性）色を配色し、第二次色目には、オレンヂ（中陰陽性）色を配色し、第三次色目の外側には、黒（強陰性）色を配色して出来、傘の柄の下地色に赤（強陽性）色を用い、そこに反対逆拒絶色となる青色の四角形が施こされている事を示し、第１２図に示される「パロット赤オレンヂ黒色四角形模様（拒絶色）付ｕｖカット付安全傘（Ｔ．８１８）」
【請求項１８】
本（願）発明デザイン色に指定されて、発明される色彩（拒絶）色中、之れをして日傘をも含ませ、透明性（色）のものは、太陽光（ｕｖ）カットできる傘布迄を用い、之れを光沢のあるビニール傘の頭頂部分と、傘の裾部分に三重重ねの色彩色にする第一重目には、赤（強陽性）色の再帰性光（色）の強い反射布を之れに配色、塗布し、第二重目は、白（弱陰性）色の再帰性光（色）の強い反射布を配色塗布し、第三重目の外側には、再度、反対（拒絶）色となる、赤（強陽性）色の再帰性光（色）の強い反射布を之れに配色塗布している事を１３図に図示する、「パロット上中下赤白赤模様（拒絶色）付ｕｖカット付安全傘（Ｔ．８１９）」
【請求項１９】
本（願）発明デザイン色に指定されて、発明される色彩（拒絶）色中、之れをして、日傘をも含ませ、透明性（色）のものは、太陽光（ｕｖ）カットできる傘布迄を用い、之れを光沢のあるビニール傘の頭頂部分と、傘の裾部分に三重重ねの色彩色にする第一重目には、赤（強陽性）色の再帰性（光）色の強い反射布を之れに配色塗布し、第二重目には、緑（中陰性）色等の再帰性光（色）の強い反射布を配色塗布し、三重目の外側には、再度、反対逆赤（強陽性）色を配色塗布するものとなり、第１４図に図示する、パロット上中下赤緑赤色模様（拒絶色）付ｕｖカット付安全傘（Ｔ．８２０）」
【請求項２０】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のあるビニール傘の頭頂部分と、傘の裾部分に三重重ねの色彩色にする第一重目には、紫（強陰性）色の再帰性光（色）の強い反射布を配色塗布し、第二重目には、オレンヂ（中陽性）色の再帰性光（色）の強い反射布を配色塗布し、第三重目の外側には、再度反対逆（拒絶）色となる紫（強陰性）色の再帰性光（色）の強い反射布を之れに配色塗布している事を１５図に図示する、「パロット上中下紫オレンヂ紫色模様（拒絶色）付ｕｖカット付安全傘（Ｔ．８２１）」
【請求項２１】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のあるビニール傘の頭頂部分と、傘の裾部分に、三重重ねの色彩色にする第一重目にには、黄（弱陽性）色の再帰性光（色）の強い反射布を之れに配色塗布し、第二重目は、黒（強陰性）色の再帰性光（色）の強い反射布を配色塗布し、三重目の外側には、再度、反対（逆）拒絶色となる黄（弱陽性）色の強い反射布を、之れに配色塗布している事を１６図に図示する、パロット上中下オレンヂ黒オレンヂ色模様（拒絶色）付ｕｖカット付安全傘（Ｔ．８２２）」
【請求項２２】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のあるビニール傘の頭頂部分と傘の裾部分に三重重ねの色彩色にする、第一重目には、ピンク（中陰陽性）色の再帰性光（色）の強い反射布を、之れに配色塗布し、二重目は、黄（弱陰陽性）色の強い、反射布を配色塗布し、三重目の外側には、更に反対逆（拒絶）色となる、赤（強陽性）色の強い反射布を之れに配色塗布している事を１７図に図示する、「パロット上中下ピンク黄赤色模様（拒絶色）付ｕｖカット付安全傘（Ｔ．８２３）」
【請求項２３】
本（願）発明デザイン色に指定されて発明される、色彩（拒絶）色中、之れをして、日傘をも含ませ、透明性（色）のものは、太陽光（ｕｖ）カット出来る傘布迄を用いて、之れを光沢のあるビニール傘の頭頂部と、傘布の裾部分に三重重ねの色彩色にする、第一重目には緑（中陰性）色の再帰性光（色）の強い反射布を之れに配色塗布し、二重目は黄（弱陰陽性）色の再帰性光（色）の強い反射布を配色塗布し、三重目の外側には、再度、反対逆（拒絶）色となる、緑（中陰性）色の強い反射布を之れに配色塗布している事を１８図に図示する、「パロット上中下緑黄色緑色模様（拒絶色）付ｕｖカット付安全傘（Ｔ．８２４）」
【請求項２４】
本（願）発明デザイン色に指定されて発明される色彩（拒絶）色中、之れをして、日傘をも含ませ、透明性（色）のものは、太陽光（ｕｖ）カットできる傘布迄を用いて、之れを光沢のあるビニール傘の頭頂部と、傘布の裾部分に三重重ねの色彩色にする、第一重目には、黄（弱陰陽性）色の再帰性（色）の強い反射布を之れに配色塗布し、第二重目は、青（強陰性）色の再帰性光（色）の強い反射布を配色塗布し、三重目の外側には、再度、黄色  逆（拒絶）色の強い反射布を之れに配色塗布している事を図１９に図示する、「パロット上中下黄青黄色模様（拒絶色）付ｕｖカット付安全傘（Ｔ．８２５）」
【請求項２５】
本（願）発明デザイン色に指定されて発明される色彩（拒絶）色中、之れをして、日傘をも含ませ、透明性（色）のものは、太陽光（ｕｖ）カットできる傘布迄を用いて、之れを光沢のあるビニール傘の頭頂部と傘布の裾部分に三重重ねの色彩色にする、第一重目には、青（強陰性）色の再帰性光（色）の強い反射布を之れに配色塗布し、第二重目は黄（弱陰陽性）色の再帰性光（色）の強い反射布を配色塗布し、三重目の外側には、更に反対逆（拒絶）色となる赤（強陽性）色の強い反射布を、之れに配色塗布している事を２０図に図示する、「パロット上中下、青黄赤色模様（拒絶色）付ｕｖカット付安全傘（Ｔ．８２６）
【請求項２６】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のあるビニール傘布の裾部位に再帰性光（色）の強い茶色の棒線を一本（づつ）描き、そこに緑色の葉と茎を描き、更にそれ等には反対（逆）拒絶色となる、赤色、黄色、白色等の花びらを持つチューリップや、バラの絵模様を傘布の裾の部位に配色塗布して造られ図２２に示される、「パロット赤白黄緑茶色花模様付ｕｖカット付安全傘（Ｔ．８２７）」
【発明の詳細な説明】
【技術分野】
【０００１】  本発明論文で論説されて登場する「拒絶色」は、信号灯にある黄色を中心に持つ赤色と青色の正反対色や、青色と黄色、赤色と黄色等の反対色の他、赤色と白色他、白色と黒色、黄色と黒色等にもあり、之れ等の色彩色を見る者は、意識作用の集中する所となり、之の内、青色、白色、黒色を見る者は、脳中にメラトニンが分泌し、精神は、鎮静状態になってゆき、反対に、赤色、オレンヂ色、黄色等の色彩色を見る者は、脳中にアドレナリンが分泌される為、
精神が高揚、興奮状態になってゆく事で、之れ等の技術色は「拒絶色」と呼称される中、之れ等の色彩色に速度を持たせ、交互に撮し出し、第三者に観覧させる時には、観覧者は、意識を失ったり、時には、死に至る程迄の効果や効力を持つものとなる事が（動物）実験でも立証実験でも立証されるを以っても、この色彩色は「拒絶色」と命名されるものとなったが、他例に於いては、
大火傷を受けた患者の病室には、青色を用い、赤色を用いてはいけない事は、この理由にあり、青色を塗った病室では、火傷の治りが良い他、普通、全世界の病院。室内は、白色に塗られる事が常識となっている中、療養中の患者の脳内には、メラトニンが分泌され、精神状態が鎮静状態となり落ち着く効果があるからであり、この様に、これ等の色が技術色として用いられてゆくものとなっていったが、この様に存在する、
注意色を反対色にし、速度を持たせ、青色、赤色を別々にし、単色で同一場所で同時に、之れ等の色彩色を（瞬間的且）より長く見せた場合、順次脳中に分泌するメラトニンや、アドレナリン等が交互に多発、発生した場合、気分が悪くなったり、目をまわしたり、心理的畏怖心さへ起こり、あらゆる自行動に注意が注がれ、自制心が働らき、スピードのある物を操縦していた者は、急にスピードを下げる等の効果、効力のある「拒絶色」と呼ばれる色彩色となった。之の色彩色を透明性のある傘の傘布や、傘の骨子部分等に塗布した。
【背景技術】
【０００２】・特願２００５−３３６３２５号・特願２００７−２１１９７９号・特願２０１０−０９５４６０号・特願２０１３−１４１０８５号
【先行技術文献】
【０００３】●特願２０１０−２０４８９３号
【発明の概要】
【発明が解決しようとする課題】
【０００４】
2019198616.tif 000003
らき、コドモ達は学校に行い、ペットの犬は散歩をねだり続けた。けれどもこの様に夜も長くなった暗がりの中、雨降りの日には、特に車の運転手は気を付って、これを運転していたが、どうしても交通事故が起った。しかし併、交通事故は、夜るのみに起こるのではなく、昼間にも多く起こっているものであり、どうしたならば、交通事故を減らす事が出来るのか？と、考えた時、学術的に「注意色」若しくは、「拒絶色」と呼称され、特に人動物等の意識や注意を引く事の出来る「色彩色」を発見し、発明し、この発明された色彩色を用いた、本デザイン力にある色彩色を、本図面や符説で説明される様に、傘布部分や骨子部分に用いる時、雨天候時や、特に視界の悪くなる時、人々の交通のある所、本発明される「拒絶色」が車輌を運転する運転手の（脳）視神経に特別に目立つ色彩色の威示力を発揮させる際、雨天候時、視界が悪くなって生じる交通事故防止に多いに効験できる発明となった。―課題が生じた。
【課題を解決する為の手段】
【０００５】  しかし併、之れ等傘の色彩色を含める、多くの傘の発明（色）は、学術的系統を踏えて創作されて来た物は少なく、人間（人類）が持つ本能と感性によって、自然に淘汰して創り続けられ、初めの頃は、地味な男性向け傘から、カラフルな女性向けの傘や、黄色を下地色にして、不透明の赤や青色等の原色（単色）をゴチャ混ぜにして色合わせをした幼児向け傘や折り畳み傘、ワンタッチ開閉傘の多くの技術を特った傘布も登場する中、傘に透明性が無かった時、小児用を除く傘には、透明性が必要最重要視される、
発明が生じた時、透明性の傘は、爆発的な売り上げを延ばし、透明の傘（の技術力）も終焉となった際、之こに医学生理学が援用される、人は、青色を見ると、（脳）視神経にメラトニン分泌液が発生し、精神が鎮静状態となり、反対に赤色彩色を見ると、アドレナリンが分泌される、興奮状態になってゆく事で、これ等の技術色は「注意色」若しくは、「拒絶色」と、呼称される中、「拒絶色」には、白色と黒色や、赤色と白色、黄色と黒色等の他、赤色と青色や、黄色と青色等の様に、反対の単色の（合色）にもあるものであったが、―物理空間内に於いて。
この様に新しい技術（色）によって創られる「色彩色」を見る、人、動物の（脳）視神経ではメラトニン（精神鎮静分泌物）とアドレナリン（精神高揚分泌物）が、之れ等の色彩色を瞬時に見る時や、長く見る者に対して、交互にして、順次脳中に多量発生するものとなる際には、気分が悪くなり、涎（よだれ）を垂らしたり、ひきつけを起こしたり、重度になる際には、意識障害を起こしたり、ともすれば、（動物の、）死に至る程の効果があり、之の様にして造られる、之れ等の色彩色を見る者は、心理学を援用すれば、畏怖心さへ起こるものとなる程の威力がある事は、後の項目で各論証されてゆく中、この様に新しく発見される、赤色、青色他、青色、黄色、若しくは、赤色、黄色等の反対色の単色を同一場所で、交互に違えて、拒絶色にして造る反対色彩色を傘の色彩色に託し、雨天候時に人々が、適宜に用いた場合、この様にして造られる「拒絶色」をいきなり見る者は脳中に多くのアドレナリンや、メラトニンが急に発生する為、心理的に畏怖心が起こり、あらゆる自行動に自制心が働らき、スピードのあるものを操縦していた者等は、急にスピード等を下げる効果が生じるものとなる際、雨天候時、歩行者の交通事故防止」に多いに効験した。
【発明の効果】
【０００６】  本願発明色に見られる、「注意色」を「反対色」にして、「会意」させ、組み合わせで、造られる、「拒絶色」を説明するに当っては、人動物の（脳）視神経が嫌う「拒絶色」があり、之れが発見された時、この現象は、ヘリコプターの飛行路にもあり、１２０Ｍを越える鉄塔では、必しも紅白の色彩色が施こされているのは、之れを見るパイロットが無意識中にも、瞬間、速度を落とす、「新代（医）科学に提唱される「拒絶色」の効果が働くからであり、怖い物である。とする、心理的畏怖心を中枢脳に働かせたからであり、之の色を持つものから、急に離れたくなる衝動心
2019198616.tif 000004
本論説を「注意色」まで戻して説明されると、人は極端な「青色」の単色を見続けた場合、人の脳中には、多量のメラトニン（精神鎮静分泌液）が発生するものとなり、「飛行機」や「ヘリコプター」を操縦するパイロット等がサングラスを着けず、長い時間、青い海と、青い大空の中を飛行し、帰省した際、ヘリポートや滑走路が見えなくなっている事に気が付き、――誰れしもが経験するコドモの頃、プールの底を真青に塗ったプール遊びをし、１００Ｍを泳ぎ切って、凡そ、３０分後に水上に顔を出すと、地上に居るギャラリーの一切が見えなくなっているものであり、遊泳後に眠気が急襲したりする場合がある事は、同様の事で、海の長い航路をサングラスを付けない船の船長が航行時意識を失い、昼寝をする事件が生じるのにも、本論説の正しきが証明される所となり、之れ等は「メラトニン酔症候群」と命名される所となり、
又、夜間、二台の同一路線上を走行する車輌等があって、後続車輌を運転する、運転手が、前方向を走行する車輌の赤いテールライトを長時間、見続けていた場合、その車輌の（赤い）テールライト以外の全ての景色は見えなくなり、テールライトの（赤い、）光の中に吸い込まれる様に、衝突してゆく事件（事故）の多発する原因等も、ここにあり、之れ等には「アドレナリン酔症候群」と命名される所となり、準説から、プールの底を紅色一色で塗られた中を３０分かけて、１００Ｍを泳ぎ切って、水上に顔を出すと、やはり、地上に居るギャラリーの一切が見えずらくなっていた。
この様に自然、動物界に於いて、之れ等の生物（体）を味方とする他、害敵となす時、識別し易い様に、進化の過程に於いて、その体色を「迷彩色、」「保護色、」「警戒色、」「注意色、」をして、今回発見される、「拒絶色」等に用いられて行く事が発明される時、「迷彩色」は白色、茶色、緑色等の色を不規則に塗り、周囲の物との区別がつかなくなる様にして、敵の目をごまかす迄、自体色を周囲の色に合わせて用いる時、代表的なものにタコ、カレイ、ヒラメ等があり、人間界では、軍服や、軍用車輌に用いられる、「保護色」は、弱いものが強いものから身を守る為、その地区にある自然色に自体色を合わせて用いる体色にあり、カメレオン、雷鳥等に見られ、警戒色は、毒や牙を持つ動物に多く見られ、自己を目立たせ、之れを見る他者に警戒心を起こさせる様な派手な体色を持っており、蜂や虎に見られる黄色と黒色を取り込んでいるものでもあり、人間界では、既にバリケードや、虎ロープの他、電車等の遮断機さへ塗り込んで用いられる物となっていた。
しかし併、本発明論文で論説される「拒絶色」は、信号灯にある黄色を中心に持つ、赤色、青色の正反対色や、青色や黄色灯他、赤色や黄色灯の様に反対色等を差し示す色合いのものとなるが、白色と黒色や、黄色と黒色等、他にもあり、この色合いを見る者は、意識作用の集中する所となり、この内、青色、白色、黒色等を見る者は、脳中にメラトニンが分泌し、精神が、鎮静鬱状態になってゆき、反対に、赤黄色を見る者は、脳中に、アドレナリンが分泌される為、精神が高陽、興奮状態になってゆく事で、之れ等注意色による組み合わせる技術色は、「拒絶色」と呼称される中、之れを見て、甚しい時には、意識を失ったり、致死に至る程迄の効力のある効果色となる時、
論説は続けられる所、一羽の動きの鈍いオウムに鷹が攻撃を仕掛けた際、付近にいた数十羽のオウムが飛びたち、赤青反対色に染める、羽色を一斉にこれを見せつけて、１．３１４秒以上経つと鷹は目をまわし、その場を離れる効果に以ており、ここには、飛行速度も原因するものであったが、
春夏秋冬（特に夏と冬）の区別が無く、エサ（食物）の多くして、動（生）物が繁殖し易い熱帯地方では、スピードのノロい
2019198616.tif 000005
に、体色彩色に「拒絶色」を多く取り入れているものを、「色彩色進化生物」と呼ばれる際の事、
又、年に数ｍｍから数ｃｍで成長している珊瑚等では、「被食魚」が「捕食魚」に追われて、之れに逃げ込む際、衝突させない様に、赤、黄、オレンジ、白、紫色（隠陽逆色）にして、（拒絶色と命名される構成色を）構える反対色を持たせ成長しているものであったが、しかし併、
白色と黄色とは、反対色（例、青色）が陰性色の時は、陽性のアドレナリン色となる他、反対色（例、赤色）が陽性色の時には、逆に陰性のメラトニン色となる事で拒絶色を構成するものとなる事が、その後の研究で分った。
白黒のストライプを持つ被食魚が、鯨、イルカ群の補食動物等に追われた時、反撃する、このストライプ魚群が踵を返えし、鯨、イルカの群を取り囲んで３０分以上、周囲を泳ぎ回っていると、鯨、イルカ群は、口に泡を出し、意識障害を起こし、溺れる者も出る事は、未だ現代科学の知らない所でもあったが、この位にまで（スピードのある世界）極度に反対色にある色別色は、人動物の見る視覚神経と脳に衝撃的なインパクトを与えているものであり、之れを「拒絶色」と呼称される時、（スピードの交互性が速くなればなる程、）この色彩色を瞬間に見たり、長く見続ける者等では、やがて意識を失ったり、致死に至る迄の効果、効力さへ出すものとなり、ランチェスターの布陣と命名される時、この種の魚が異常繁殖する時、鯨やイルカが浜に打ち上げられる事件が多発した。
それ故、この世には多く伝えられなかった筆者の論説内容をして。海に於いては、熱帯魚、パンダイルカ、オルカ、ペンギン等をして、陸上では、蝶、ゼブラ、スカンク、虎等が、何故、之れ程まで、「拒絶色」を身に纏っているのか？と、言えば、この説話を人間界に戻し、人間界において、本能的に使用され、未だ継続的に、警察が用いる、パトカーの車輌色や、野球選手が身に付けているユニホームに、この説話を持って来ると、話しが尚も分り易くなった。（拒絶色は、スピードの速い者には、見えにくくなったからであった。）
犯罪者、暴動、襲撃が予想される地区に巡回するパトカーには、動きの鈍い、動物のパンダの色彩色が用いられているのは、スピード出力の違いにおいて、之れを見る者の目において、１．３１４秒見えて、１．３１４秒見えづらくなるサイクリング（目潰し）現象が起こるからであり、物が良く見えない事は、心理的に畏怖心へとつながり、更に物をよく見ようと、意識作用が集中する時、脳中にメラトニンや、アドレナリンが交互により多く出て脳神経が、活性化される時、それ等の色は独立して、「拒絶色」としての役割りを果すべく、大変目立った色彩色となるが、脳視神経の受けるダメージも大きくなるものとなり、落ち着かず、気分が悪くなり、この色を持つものから急に離れたく、衝動心が働らくのは、人間では、パイロットが、紅白の鉄塔を見て逃げたくなる心理のみにあらず、草食動物が虎やチーター等の持つ黄色、黒色の混り合った「拒絶色」を草葉の隠から急に見ると、逃げ出したくなる程の忌避作用を生じさせるものとなり、足の遅い小鹿等は、之れが原因で飛び出し、虎、チーター等に掴まり餌食になるケースが多いものとなった。又、サバンナー地区に多く見られる、ゼブラの縞模様は、肉食獣の視線を若しめていた。
【図面の簡単な説明】
【０００７】
【図１】  一昔前、雨天候時は、天候時の時より、交通事故がどうしても多く増えるのは、無理もない事であったが、傘を差しての目かざし歩行や、無謀な傘を差しての自転車走行に於いては、歩行者側の視界がどうしても悪くなり、多くの交通事故が生じていた頃、傘布の一部分に小窓のような、透明なビニール枠が傘布に嵌め込む発明が成されると、大当りする発明となったが、その模様等が副因図に図示され、
【図２】  その後、傘製造会社側では、一層、傘全体を光沢のある透明製にして、大量生産化に乗り出す事、大人向けの傘（布）の発明が成されると、ワンコインショップでも気軽に購入できる他、安値で爆発的な売れ行きが続く物となり、雨天候時に於ける視界の悪さも解消される事が成される事を（副因図の）模様に図示し、
【図３】  光沢のある透明の傘に、白と黒色、白と紫色、白と青色、白と緑色、白と竹色とする他、赤とピンク色、赤と黄色、赤と黒色、赤と紫色、赤と青色にして、三角形にデザインされた「拒絶色」模様が傘布に配色塗布されている事を図示。
【図４】  小児用でなくとも、特にコドモはコドモであり、「コドモ」と、「お年寄」は、赤信号と叫けばれる中で、コドモとお年寄り向けの傘や、普通の大人が持つ傘にも、やはり透明性を持たせる素通しの隙間を持たせて、視界、視野を効かせる傘の発明品に、本発明デザイン（色）に指定され、本発明される注意色を反対色にして、「拒絶色」となる色彩色を傘（布）に配色、塗布した場合、スピードを持つものを操縦していた者が、この発明される「色彩拒絶色」を見る時、怖い物である。とする、注意力が集中し、急にスピード等を下げる等の効果、効力のあるものとなる色合いに発見され、発明される中、そこで、之れ等透明性のある傘に、「拒絶色」と呼ばれる、本発明（色）に指定される、「色彩拒絶色」中、本発明図と発明符説で説明される、次から示す模様を付ける、第一重目の中心部は、赤（強陽性）色を配色塗布し、外側の二重目の円には、反対色となる白（弱陰性）色を塗り、三重目の更に外側になる円には、再度反対（拒絶）色となる、ピンク（中陽性）色を配色塗布して創る拒絶色が発明され、又、傘の柄の下地色には、赤、若しくはピンク色にし、その合間、合間には、白い円形の水玉模様が複数色塗り込まれている事を図示。（Ｔ．８０２号図）
【図５】  本発見デザイン（色）に指定される「色彩拒絶色」中、本発明図と発明符説で次から示される亀甲模様を透明性のある傘布に塗布する第一重目の中心部は、赤（若しくは、ピンクの強中陽性）を塗布し、二重目には、反対色となる緑（若しくは、竹色、中弱隠性）色彩色を塗り、三重目の外側には、又、反対色となる赤（若しくは、ピンク強中陽性）色彩色を配色して出来ている事を示す図となり、傘の柄の下地色に緑色を用い、そこに、赤色の亀甲模様の複数色を塗り込んで亀甲形の模様をして、拒絶色を形成する傘になっている事を図示。（Ｔ．８１１号図）
【図６】  本発明デザイン（色）に指定されて発明される色彩（拒絶）色中、これを光沢のある透明のビニール傘に放射線状に配色、塗布する、第一次色には、紫（若しくは簿紫の強中陰性）色を配色し、二次目の中心部には黄（弱陽性）色の反対色をして、三次色の外側には、又、紫（若しくは簿紫の強中陰性）色を配色、塗布している事を表わしている図を（Ｔ．８１２号図に）図示し、
【図７】  本発明デザイン（色）に指定される「色彩拒絶色」中、本発明図と、発明図説で説明される次から示される虎模様を透明の傘布に配色、塗布される、第一次色は赤色を配色する、黒（第二次）色と、黄（第三次）色彩色の間、間には、赤（強陽性）色を配色される、虎模様が石突き部に至る迄、渦巻状になって出来ている事を示す図となった。又、傘の柄を虎模様にする、一次目は、小さ目の赤色を配色し、二次目は黒色を配色し、三次目は、黄色を配色、塗布している図を（Ｔ．８１３号図で）図示し、
【図８】  本発明、デザイン（色）に指定される、色彩（拒絶）中、之れを光沢のある透明のビニール傘に螺施状に配色塗布する第一次色は、赤（強陽性）色を配色する。二次色は、ピンク（中陽性緩和）色彩色を塗り、第三次色は、白（弱隠性）色を配色塗布して出来ている事を示し、紅白ピンクの連続線模様が、石突部まで渦巻螺施状に配色塗布されている事を示している図となり、傘の柄の色彩色の第一次色は、赤色を配色し、二次色はピンクを配色し、三次色目は、反対色となる白色を配色、塗布している図を（Ｔ．８１４図で、）図示し、
【図９】
2019198616.tif 000006
【図１０】  本発明デザイン（色）に指定されて発明される色彩（拒絶）色中、之れをビニールの透明の傘布に、三つ星模様にして、配色塗布する一番上の星模様はオレンヂ色にし、左り下の星模様は、緑色にし、右下の星模様は、赤色にし、三色一組にして造られるものとし、之の傘の柄の下地色は、オレンヂ色を配色して造る他、その合間、合い間には、赤色の星模様や、青色の星模様が配色塗布されて造られ、第１０図に示される、「パロット赤オレンヂ青色星模様付ｕｖカット付安全傘（Ｔ．８１６）を図示。
【図１１】  本発明デザイン（色）に指定されて発明される色彩（拒絶）色中、これを光沢のある透明のビニール傘に配色、塗布する色彩色の第一重目のレ印の内部は、赤（若しくはピンク）色を配色し、二重目には、反対色となる青（若しくは水色）色彩色を塗り、三重目の外側には、黄（若しくはオレンヂ）色彩色を「レの字」型に配色して出来ている事を示す図であり、傘の柄の下地色に青色を用い、そこに、赤色、ピンク色、黄色等の「レの字」模様を複数塗り込んで拒絶色になっている事を（Ｔ．８１７図に、）図示し、
【図１２】  本発明デザイン（色）に指定されて発明される色彩（拒絶）色中、これを光沢のある透明のビニール傘に配色、塗布する色彩色の第一重目の中心部には、赤（若しくはピンク）色を配色し、二重目には反対色となる黄色（若しくはオレンヂ）色を塗り、三重目の外側には、黒、色彩色を□（四角形）に配色して出来ている事を示す図であり、傘の柄の下地色に赤色を用いた場合、青色の四角模様を塗り込んで拒絶色になっている事を（Ｔ．８１８図で）図示し、
【図１３】  本発明デザイン（色）に指定されて発明される色彩（拒絶）色中、之れを光沢のある透明のビニール傘の頂上部分と、傘の裾部分に、赤、白、赤色の反対色を順に配色、塗布して創られる時、忌避性が強くなり、之れ等の色彩色を見る自動者（若しくは、航行機を含む。）の操縦者（の脳視神経では危険を感知してスピード等を落とす等、効力のある作用色となる、色彩色が（Ｔ．８１９図に、）発見された図を示し、
【図１４】  本発明デザイン（色）に指定されて発明される色彩（拒絶）色中、之れを透明性のある傘の頂上部分と、傘の裾部分に、赤緑、赤色の反対色を順に、配色、塗布して創られる時、忌避性が強くなり、之れ等の色彩色を見る自動車（航行機を含む、）操縦者（の脳視神経）では、危険を感知して、スピード等を落とす等、効力のある作用色となる色彩色が発明された図を（Ｔ．８２０図に、）示し
【図１５】  本発明デザイン（色）に指定されて発明される色彩（拒絶）色中、之れ等を透明性のある傘の頂上部分と、傘の裾部分に、紫、黄、紫色の反対色を順に、配色、塗布して創られる時、忌避性が強くなり、之れ等の色彩色を見る自動車（航行機等を含む、）操縦者（の脳視神経）では、危険を感知して、スピード等を落す等、効力のある作用色となる色彩色が（Ｔ．８２１図に、）発明された図を図示し、
【図１６】  本発明デザイン（色）に指定されて発明される色彩（拒絶）色中、之れ等を透明性のある傘の頂上部分と傘の裾部分に黄色、黒色、黄色の、反対色を順に、配色、塗布して創られる時、忌避性が強くなり、之れ等の色彩色を見る自動車（航行機等を含む、）操縦者（の脳視神経）では、危険を感知して、スピード等を落す等、効力のある作用色となる色彩色が（Ｔ．８２２図に、）発明された図を図示し、
【図１７】  本発明デザイン（色）に指定されて発明される色彩（拒絶）色中、之れ等を透明性のある傘の頂上部分と傘の裾部分にピンク色、黄色赤色の反対色を順に配色、塗布して創られる時、忌避性が強くなり、之れ等の色彩色を見る自動車（航行機等を含む、）操縦者（の脳視神経）では、危険を感知して、スピード等を落す等、効力のある作用色となる色彩色が（Ｔ．８２３図に、）発明された図を図示し、
【図１８】  本発明デザイン（色）に指定されて発明される色彩（拒絶）色中、之れ等を透明性のある傘の頂上部分と、傘の裾部分に、緑色、黄（若しくはオレンヂ）色をして、又、緑色の反対色を順に配色、塗布して、造られる時、忌避性が強くなり、之れ等の色彩色を見る自動車（航行機等を含む、）等の操縦者（の脳視神経）では危険を感知し、（Ｔ．８２４図に示される、）スピード等を落とす等、効力のある作用となる色彩色が発明された図を図示し、
【図１９】  本発明デザイン（色）に指定されて発明される色彩（拒絶）色中、之れ等を透明性のある傘の頂上部分と、傘の裾部分に黄（若しくはオレンヂ）色、青色を塗布する他、又、黄色の反対色を順に配色、塗布して造られる時、忌避性が強くなり、之れ等の色彩色を見る自動車（航行機等を含む、）等の操縦者（の脳視神経）では危険を感知してスピード等を落とす等（Ｔ．８２５図に示される、）効力のある作用色となる色彩色が発明された図を図示し、
【図２０】  本発明デザイン（色）に指定されて発明される色彩（拒絶）色中、之れ等を透明性のある傘の頂上部分と、傘の裾部分に青色、黄色、赤色を順に、配色、塗布して造られる時、忌避性が強くなり、之れ等の色彩色を見る自動車（航行機等を含む）等の操縦者（の脳視神経）では、危険を感知してスピード等を落とす等（Ｔ．８２６図に示される、）効力のある作用色となる色彩色が発明された図を図示し、
【図２１】  本発明デザイン（色）に指定されて発明される色彩（拒絶）色中、之れを光沢のある透明のビニール傘の裾の部位に再帰性光（色）の強い茶色の棒線を一本づつ描き、そこに緑色の葉と茎を描き、更に反対（逆）拒絶色となる、赤色、黄色、白色の花びらを持つ、チューリップやバラの絵模様を配色塗布し、之れ等の色彩色を見る自動車（航行機等を含む操縦者の脳視神経）では、危険を感知してスピード等を落とす等、効力のある作用色となる色彩色が発見（発明）された図を図示。
【発明を実施する最良の形態】
【０００８】  「拒絶色」の説明は、既に前項で何度も宣べられている様に、「スピードある世界」にして、「注意色」を反対色同志で用いると、脳視神経に最っも障る、「拒絶色」になるものとなったが、虎やチーター、蜂等が体色に持っている黄色と黒色（陰性の拒絶色）や、オウムや、熱帯魚等が体色に持っている黒色、白色、緑色、青色（隠性の注意色）とは反対色にある、黄色、オレンヂ色、赤色等は、「陽性の注意色」となり、之れを見る者の脳中には、アドレナリンが分泌され、俊爽状態となるが、反対に黒色、白色、緑色、青色、紫色（陰性の注意色）の方を見る者の脳中には、メラトニンが多く分泌され精神状態は、鎮静化するものとなる時、
この様に「注意色」には「陽性の注意色」や、「陰性の注意色」の二種類の注意色が発生（発見、発明）される他、「陽性色の強い拒絶色」や、「陰性色の強い拒絶色」等も発見（発明）される際、これ等をして、蝶、パンダ、ゼブラ、スカンク等の体色に多く見られ持つ、（体）色彩色の組み合せ方は、黒（メラトニン）色に対抗（体）色する白色が反対色となる場合には、白色（若しくは黄色）は、陰性（色）にはならずに、逆に陽性（アドレナリン）色になる事が分る他、――反対に、組み合せ色が赤（アドレナリン）陽性色に（体）対抗して、逆色が白（若しくは黄）色となる場合には、白（若しくは黄）色等は、アドレナリン色にはならずに、陰性の（メラトニン）色となる事が、その後の研究で分る所となり、
【実施例】
【０００９】  それ故、例題にして説明される、昭和時代に建てられた東京タワーでは、赤（強陽性）色と白（弱陰性）色の強弱陽陰性注意色（若しく
2019198616.tif 000007
平成時代に建てられたスカイツリータワー等では、青、紫（強陰性）色と、白（弱陽性）色の（反対）強弱陰陽性注意色（若しくは拒絶色）等を用いた色彩色塔と呼ばれると分り易く、（物理空間中、点滅無しの青若しくは紫二色で造られる塔を見た場合、衝突し易いものにもなった。）
それ故、蝶、パンダ、ゼブラ、スカンク……等の持つ白色に黒色を取り入れた「拒絶色」の体色の組み合せ方は、白（弱陽性）色に、黒（強陰性）色を取り入れた強弱陰陽性の組み合せ色となる為、（特に、）物理空間内で、之れを直視する者や、長く之れを見続ける者の脳中では、アドレナリンやメラトニンが交互に分泌され続ける為、この時迄、正常にあった脳視神経では、興奮状態と鎮静状態を繰り返し、ともすれば意識障害を起こす色合いのものであり、自体色に、之れ等の色彩色を取り込むと、敵を容易に近寄らせない効力効果があるものとなり、人間社会では、パトカーや野球の選手のユニフォームのデザインに多く見られ、
しかし併、これ等の事は、未だ多くの人々には知られてはいない、新代科学の世界にも見られる物であったが、パンダイルカ、ペンギン、オルカ等は、「陰性の拒絶色」を自体に取り込んでいるものであったが、これらの者がエサの多い魚群の群れに突入し、ストライプ縞模様の多い魚群に逆襲された時、スピード、出力を違えた速度で現場を離れ、ペンギン等は陸上に逃がれ、パンダイルカ、オルカ等は、海底で動かずに静にしていれば、魚群は、之の襲撃者の素形を見失い、無事退避出来、夕方から寝ている時にも、いつしか之れに取り囲まれている危険も少なかった。
然るに、水陸性生物、アザラシ、ペンギン等では、有事の際、陸上に逃がれる術を持っていたが、パンダ色の無いイルカや鯨等では、そういう訳にはいかなかった。――間抜けとまでは言わないが、狩猟経験の浅いアザラシの子が、このランチェスターの布陣に巻き込まれて、脳機能障害を起こし、流氷の上に逃がれて、昼寝をするまま海流に流され、通常のアザラシ生活圏以外の場所で発見されるのには、この理由があった。
2019198616.tif 000008
ランチェスターの布陣とは、味方を芯にして、敵が三方向から取り囲む陣型を言い、芯にいかなる（数十万人）最強師団が増強されようとも、一定時間内に（全滅警戒除去系数、Ａ）０．３％づつ害力を以って、破滅せしめた時、芯は、絶滅する殺陣の事を言い、経済学にも応用ができる所であった。――国内の大企業を芯にして、之れを取り巻く中小企業が、一定の時間（Ｘ）と空間（Ｙ）に於いて、０．３％づつ倒産した場合、大企業は倒産するものとなる。
2019198616.tif 000009
群集が場内に突進する、速度、出力を違えて、場外に退逃すれば災難にあわずに済むだけの効果、効力を持って選手ユニフォームは、（パンダ色を用い、）開発され続けるものであった。
【産業上利用の可能性】
【００１０】  世の中には、本発明論説に登場し、発見、発明される、人動物等が之れを見る時、注意を払う「注意色」が存在し、多くは、学術的系統を踏まずに、人々の本能と感性に任せるままに、自然に淘汰し、創り続けられる（特に小児用）コ
2019198616.tif 000010
にあったが、透明にならぬ物となっていた時、傘布による視界視野を妨げない透明の傘に、赤、青、黄色等の他、白、黒色等他にもある注意色を二色以上の複合色にして、同一場所で、同時に同じ度数（量）を用い、反対（逆）色にして、会意（混ぜ）混合させた場合、人動物の見る視神経に最も障る、本発明、「拒絶色」と変わる色彩色に変わる時、
「拒絶色」は、今までに発見、発明されて用いられる、単色の組み合せで作られる注意色とでは比べ物にはならない位、（物理空間内で、）之れを見る時、人心の心理的畏怖心を煽り、注意力を引き、スピードのあるものを操縦していた者は、この発明色を急に見る者や、長く見続ける者は、急に速度を落とす等の効果や、この色彩色をもつものから逃避したくなる心理が起こる実効性がある本発明となったが、間違えた色彩方法で使用した場合には、逆に事件や事故が生じる度合いも多くなる事から、「拒絶色」には、「正当な拒絶色」と「不正使用の拒絶色」と呼ばれる「拒絶色」が発生する時、之れ等傘を造る製造者や、消費者等が、之の透明の傘に「正当な拒絶色」をデザインにして持っていると、「交通事故被災防止」に多いに役立つ事が理解される際、本発明（色）を用いた傘は、産業上の利用性は極めて高い物となった。
【符号の説明】
【００１１】１．昔は、不透明で、地味な色彩色の傘の多かった事を図示し、２．それ等の傘の一部分に小窓の様な透明色のビニールの枠が嵌め込まれる発明が成されるを図示されると、大当りの発明品となったが、それ位、雨天候時に用いる（晴天時に用いる日傘を含む）の傘の使用は、人々の視界を遮る。交通事故被災原因の元になっていた事を（副因図、）図１で示すものとなっていたが、３．しかし併、その後、傘製造会社側では、一層、傘布全体を光沢のある透明のビニール製品で大人向け傘の大量生産した所、オートメーション化に成功し、ワンコインショップで気軽に購入し、使い捨て出来る程迄、安価格で爆発的な売れ行きが続く物となったが、しかし併、これらの透明性のある傘布では、人々の視覚視野幅の拡大追求のみの発明、開発されるものにのみ追求され続け、行き詰り、終焉となった時、之れ等の傘には、之れは、という程の目立った色彩色を施こされるべく、新規と
2019198616.tif 000011
る、「色彩拒絶色」中、本発明図と、発明図説（符号の説明）で説明される、傘布の他、傘の柄や骨子部分に対しても、４．陽性色と陰性色等を逆色に用い、三重色にして造る、第一重目の円の中心部には、赤（強陽性）色を配色塗布し、５．外側の二重目の円には、反対（拒絶）色となる、白（弱陰陽性）色を配色、塗布し、６．三重目の円の外側には、再度、反対（拒絶）色となる、ピンク色を配色塗布する他、７．之の傘の柄にも下地色を赤、若しくは、ピンク色にし、８．そこには、図４に示される白色の水玉模様を配色塗布して造られる、「パロット赤白ピンク色三重円形模様付ｕｖカット付安全傘（Ｔ．８０２）」が発明された図が図示される時、「拒絶色」とは、之れを定理付ける際、２色以上、５色以内にある、陰陽性反対逆色で配色、塗布されて造られる色彩色である。とし、この内、隠性同志で造られる拒絶色は、「不正使用の拒絶色である。」とし、之れ等の物を物理空間内等で見る際には急に影像が見えなくなったりする事もある。（＊例、白色や、黄色を混じ得ない、青色と紫色彩色等の取り合せなど。は危険色となる。）それ故、拒絶色の之れ等のものを、更に定理付ける際に於いては、２色以上５色以内の陰陽性（反対）逆色彩色等の組み合せ色で造られるものである。とし、之れ等に示される色彩組み合せ色等のものを速度のある（速い、）物理空間内で観る人（動物）での、脳内には、メラトニンやアドレナリンが交互に多量分泌し易くなる際、正常な意識を保ちずらくなる変異等が生じる事から、スピードのあるもの等を操縦していた者は（急速に、）速度を落とす等の作用がある事が、発見（発明）され、本願、発明色彩色に、之れらの色合いが用られる際、９．図３では、透明の傘布に二重色の三角模様を配色、塗布する様にして造られる物を図示する中、その一つ目は、内側の三角模様を白（若しくは黄）色にし、１０．外側の三角形模様を黒（強陰性）色にして造られる、「パロット白（黄）黒色三角形（拒絶色）模様付ｕｖカット付安全傘（Ｔ．８０３）」を図示し、１１．その二つ目は、内側の三角形模様を白（若しくは黄）色にし、１２．外側の三角形模様を紫（強陰性）色にして造られる、「パロット白（黄）紫色三角形（拒絶色）模様付ｕｖカット付安全傘（Ｔ．８０４）、を図示し、１３．その三つ目は、内側の三角形模様を白（若しくは、黄）色にし、１４．外側の三角形模様を青（強陰性）色にして造られる、「パロット白（黄）青色三角形（拒絶色）模様付ｕｖカット付安全傘（Ｔ．８０５）を図示し、１５．その四つ目は、内側の三角形模様を白（若しくは黄）色にし、１６．外側の三角形模様を緑（中陰性）色にして造られる、「パロット白（黄）緑色三角形（拒絶色）模様付ｕｖカット付安全傘（Ｔ．８０６）を図示し、１７．その五つ目は、内側の三角形模様を白（若しくは、黄）色にし、１８．外側の三角形模様を竹（弱陰性）色にして造られる、パロット白（黄）竹色三角（拒絶色）模様付ｕｖカット付安全傘（Ｔ．８０７）等が発明されるのを図示。しかし併、之れ等に付いては、もう一方のほうに於いて存在する、（時間と空間内で発生する、）物理空間中に於ける、「正使用の拒絶色」については、本願発明符説の三角模様図を用いて説明される所、１９．その一つ目は、外側の三角模様を赤（強陽性）色をして、２０．内側の三角形の組み合せ色を色違いのピンク（中陽性）色にした場合、ピンク色は、通常に見られる、「中陽性色」にはならずに、之の場合、赤（強陽性）色に対抗して、ピンク（メラトニン、中陰性）色となる事がその後の研究で分る所に於いて、これ等の色彩色は、「パロット赤、ピンク色三角形（拒絶色）模様付ｕｖカット付安全傘（Ｔ．８０８）」と呼称する他、同様にして、２１．同一時、同じ場所に於いて、その二つ目が三角模様で図示される外側の三角模様が赤（強陽性）色となり、２２．内側の、三角形の組み合せ色を色違い黄色若しくは、白色にして、造った場合には、内側の黄色、若しくは、白色は、「アドレナリン弱陽性色」にはならずに、むしろ、赤（強陽性）色に対抗して、発生する、「メラトニン、陰性色」となる事が、その後の研究で分るべく、「パロット赤黄白色反対（拒絶）色模模付安全傘（Ｔ．８０９）」が発明されるのを図示する他、２３．その三つ目が三角模様で図示される外側の三角形模様を赤（強陽性）色にして、２４．内側の三角形模様（色）を黒色にして他、紫色、若しくは青（強陰性）色にして造る色彩色の組み合せ色の仕方は、「強強の陰陽性反対拒絶色」と呼ばれ、之れ等の組み合せ、反対、対抗色を物理空間内で観る人、動物の脳視神には最も障る色合となり、物理空間内では、ともすれば、急速に見えなくなったりする、最大級の危避性（色）を生じさせる色彩色となる、「パロット赤（黒紫青）色三角形（拒絶色）模様付ｕｖカット付安全傘（Ｔ．８１０）を図示。２５．第一重目の中心部には、赤（若しくはピンク、強中陽性）色を配色塗布し、２６．二重目には、反対色となる緑（若しくは、簿緑（中弱陰性）色を配色塗布し、２７．三重目の外側には、又、反対色となる赤（若しくはピンクの強中陽性）色を無色透明の傘布に亀甲模様にして配色塗布している事を図示する他、２８．之の傘の柄の下地色には、緑を用い、２９．そこの合間合間には、赤色の亀甲色模様を多く塗り込んで、配色塗布している事を示し、図５に示す、「パロット赤（ピンク）緑（簿緑）色亀甲色模様付ｕｖカット付安全傘（Ｔ．８１１）」３０．透明性のあるビニール傘に本（願）発明デザイン色に指定されて発明される。第一次色目には、紫（強陰性）色をデザインし、３１．二次色目の中心部には、オレンヂ（中陽性）色の反対（逆）拒絶色を挟み込み、３２．第三次色となる外側には、又、紫（強陰性）色を配色塗布している事を表わし、３３．傘の柄では、一次色にオレンヂ色を配色し、３４．二次色目には紫色をして、その様に順次、繰り返して配色塗布される、「拒絶色」を傘の模様にして造られている、「パロット黄（オレンヂ）色紫（簿紫）色枝垂れ模様（拒絶色）ｕｖカット付安全傘（Ｔ．８１２）」を図６に図示。３５．本（願）発明デザイン（色）に指定されて発明される、「色彩拒絶色」中、本発明図と発明符説で説明され、次から示される虎模様を透明の傘に、塗布、若しくは、配色される、第一次色は、黄色を配色され、３６．第二次色目には、黒色を配色する、３７．黒（強隠性）色と、黄（弱陽性）色の間には、小さ目の赤（強陽性）色を配色塗布される、３８．虎模様が傘布の裾部から石突部迄、渦巻状になっている事を示す図となり、３９．傘の柄側でも、虎模様が配色、塗布される、その第一次色目は、小さ目の赤色を配色し、４０．二次色目は、黒色を配色し、４１  三次色目は、黄色を配色、塗布して造られる、「パロット黄赤黒色虎模様付ｕｖカット付安全傘（Ｔ．８１３）を図７に図示。４２．本（願）発明デザイン（色）に指定されて発明される、「色彩拒絶色」中、本発明図と発明符説で説明され、次から示される渦巻螺施模様を透明の傘に配色塗布される、第一次色は、赤（強陽性）色を配色され、４３  第二次色目には、ピンク（中陽性色）配色塗布し、４４．第三次色は、白（弱陰性）色を配色塗布して出来ている事を示し、４５．赤ピンク白色等の連続線模様が傘布から傘の石突部迄続いている事を図示する事と共に、４６．傘の柄にも赤色を第一次色にし、４７．第二次色をピンク色にし  ４８．第三次色を白色の互い違い色にし、配色塗布し、造られ  ４９．図８に図示される、「赤ピンク白色渦巻螺施模様（拒絶色）付ｕｖカット付安全傘（Ｔ．８１４）」、５０．本（願）発明、デザイン（色）に指定されて発明される色彩（拒絶）色中、之れを、ビニールの透明の傘にハウス形模様にして配色塗布する、第一重目の中心部（色）は、緑（中陰性）色にし、５１．外側の第二重目の配色塗布はオレンヂ（中陽性）色にし、５２．更なる外側の三重目（色）には、又、緑（中陰性）色にして造る他、５３．之の傘の柄の色彩下地色には、緑色等を用い、そこに、オレンヂ色のハウス形模様を配色塗布して造られ、第９図に示される、「パロット緑オレンヂ色ハウス模様付ｕｖカット付安全傘（Ｔ．８１５）」を図示。５４．本（願）発明デザイン（色）に指定されて発明される色彩（拒絶）色中、之れをビニールの透明の傘布に、三つ星模様にして配色塗布する一番上の星模様は、オレンヂ（中陽性）色にし、５５．左り下の星模様は、緑（中陰性）色にし、５６．右下の星模様は、赤（強陽性）色にし、三色一組にして造られるものとし、５７．之の傘の下地色は、オレンヂ（中陽性）色を配色して造る他、５８．その合い間、合い間には、赤色の星模様や、５９．青色の星模様が配色塗布されて造られ、第１０図に示される「パロット、赤オレンヂ青色星模様付ｕｖカット付安全傘（Ｔ．８１６）を図示。６０．本（願）発明デザイン色に指定されて発明される色彩（拒絶）色中、之れをして、日傘をも含ませ、透明性（色）のものは、太陽光（ｕｖ）カットできる傘布迄にも、「レの字（色）形で配色」し、若しくは、塗布する第一重目の内側には、赤（強陽性）色を配色し、６１．第二次色目の中心部には、オレンヂ（中陽性）色を配色し、６２．第三次色目の外側には青（強陰性）色を配色している事を示す図となり、６３．傘の柄の下地色に青色を用い、６４．そこにオレンヂ色の「レの字模様」や、６５．赤色の「レの字模様」を複数色を塗り込んで拒絶色になっている事を、第１１図に示される、「パロット赤黄青色レの字模様付ｕｖカット付安全傘（Ｔ．８１７）」にして図示。６６．本（願）発明デザイン（色）に指定されて発明される色彩（拒絶）色中、日傘をも含ませ、透明性（色）のものは、太陽光（ｕｖ）カットできる傘布迄にも「四角（���）形」で配色、塗布する、第一重目の中心部には、赤（強陽性）色を配色し、６７．第二次色目には、オレンヂ（中陰陽性）色を配色し、６８．第三次目の外側には、黒色彩色を配色して出来、６９．傘の柄の下地色に、赤（強陽性）色を用い、７０．そこに反対逆拒絶色となる青色の四角形が施こされている事を示し、第１２図に示される「パロット赤オレンヂ黒色四角形模様付ｕｖカット付安全傘（Ｔ．８１８）」を図示。７０．本（願）発明デザイン色に指定されて、発明される色彩（拒絶）色中、之れをして日傘をも含ませ、透明性（色）のものは、太陽光（ｕｖ）カットできる傘布迄を用い、之れを光沢のあるビニール傘の頭頂部分と、傘の裾部分に三重重ねの色彩色にする第一重目には、赤（強陽性）色の再帰性光（色）の強い反射布を之れに配色、塗布し、７１．第二重目は、白（弱陰性）色の再帰性光（色）の強い反射布を配色塗布し、７２．第三重目の外側には、再度、反対逆（拒絶）色となる、赤（強陽性）色の再帰性光（色）の強い反射布を、之れに配色塗布している事を１３図に図示する、「パロット上中下赤白赤模様付ｕｖカット付安全傘（Ｔ．８１７）を図示。７３．本（願）発明デザイン色に指定されて、発明される色彩（拒絶）色中、之れをして日傘をも含ませ透明性（色）のものは、太陽光（ｕｖ）カットできる傘布迄を用い、之れを光沢のあるビニール傘の頭頂部分と、傘の裾部分に三重重ねの色彩色にする第一重目には、赤（強陽性）色の再帰性（光）色の強い反射布を之れに配色塗布し、７４．第二重目には、緑（中陰性）色等の再帰性光（色）の強い反射布を配色塗布し、７５．三重目の外側には再度反対逆赤（強陽性）色となり、第１４図に図示する、「パロット上中下赤緑赤色模様付ｕｖカット付安全傘（Ｔ．８２０）」  ７６．本（願）発明デザイン（色）指定されて発明される色彩（拒絶）色中、日傘をも含ませ、透明性（色）のものは、太陽光（ｕｖ）カットできる傘布迄を用い、之れを光沢のあるビニール傘の頭頂部分と、傘の裾部分に三重重ねの色彩色にする第一重目には、紫（強陰性）色の再帰性光（色）の強い反射布を配色塗布し、７７．第二重目には、オレンヂ（中陽性）色の再帰性光（色）の強い反射布を配色塗布し、７８．第三重目の外側には、再度反対逆（拒絶）色となる紫（強隠性）色の再帰性光（色）の強い反射布を之れに配色塗布している事を１５図に図示する、「パロット上中下紫オレンヂ紫模様付ｕｖカット付安全傘（Ｔ．８２１）」  ７９．本（願）発明デザイン色に指定されて、発明される色彩（拒絶）色中、之れをして、日傘をも含ませ、透明性（色）のものは、太陽光（ｕｖ）カットできる傘布迄を用い、之れを光沢のあるビニール傘の頭頂部分と、傘の裾部分に三重重ねの色彩色にする、第一重目には、オレンヂ（中陽性）色の再帰性光（色）の強い反射布を、之れに配色塗布し、８０  第二重目は、黒（強陰性）色の再帰性光（色）の強い反射布を配色塗布し、８１．三重目の外側には、再度、反対（逆）拒絶色となる、オレンヂ（中陽性）色の強い反射布を、之れに配色塗布している事を１６図に図示する、「パロット上中下オレンヂ黒オレンヂ模様付ｕｖカット付安全傘（Ｔ．８２２）  ８２．本（願）発明デザイン色に指定され��発明される色彩（拒絶）色中、之れをして、日傘をも含ませ、透明性（色）のものは、太陽光（ｕｖ）カットできる傘布迄を用い、之れを光沢のあるビニール傘の頭頂部分と、傘の裾部分に三重重ねの色彩色にする、第一重目には、ピンク（中陰陽性）色の再帰性光（色）の強い反射布を之れに配色塗布し、８３．二重目は、黄（弱陰陽性）色の再帰光（色）の強い反射布を配色塗布し、８４．三重目の外側には、更に反対逆（拒絶）色となる、赤（強陽性）色の強い反射布を、之れに配色塗布している事を１７図に図示する、「パロット上中下ピンク黄赤模様付ｕｖカット付安全傘（Ｔ．８２３）」  ８５．本（願）発明デザイン色に指定されて、発明される、色彩（拒絶）色中、之れをして、日傘をも含ませ、透明性（色）のものは、太陽光（ｕｖ）カットできる傘布迄を用い、之れを光沢のあるビニール傘の頭頂部と、傘の裾部分に三重重ねの色彩色にする、第一重目には、緑（中陰性）色の再帰性光（色）の強い反射布を、之れに配色塗布し、８６．二重目は、黄（弱陽性）色の再帰性光（色）の強い反射布を配色塗布し、８７．三重目の外側には、再度、反対逆（拒絶）色となる、緑（中陰性）色の強い反射布を之れに配色塗布している事を１８図に図示する、「パロット上中下緑黄色緑色模様付ｕｖカット付安全傘（Ｔ．８２４）  ８８．本（願）発明デザイン色に指定されて発明される色彩（拒絶）色中、之れをして日傘をも含ませ、透明性（色）のものは、太陽光（ｕｖ）カットできる傘布迄に用い、之れを光沢のあるビニール傘の頭頂部分と、傘の裾部分に三重重ねの色彩色にする、第一重目には、赤（強陽性）色の再帰光（色）の強い反射布を之れに配色、塗布し、７１．第二重目は、白（弱陰性）色の再帰性光（色）の強い反射布を配色塗布し、７２．第三重目の外側には、再度、反対逆（拒絶）色となる、赤（強陽性）色の再帰性光（色）の強い反射布を之れに配色塗布している事を１３図に図示する、「パロット上中下赤白赤様様付ｕｖカット付安全傘（Ｔ．８１９）を図示。７３．本（願）発明デザイン色に指定されて発明される色彩（拒絶）色中、之れをして、日傘をも含ませ透明性（色）のものは、太陽光（ｕｖ）カットできる傘布迄を用い、之れを光沢のあるビニール傘の頭頂部分と、傘の裾部分に三重重ねの色彩色にする第一重目には、赤（強陽性）色の再帰性（光）色の強い反射布を之れに配色塗布し、７４．第二重目には、緑（中陰性）色等の再帰性光（色）の強い反射布を配色塗布し、７５．三重目の外側には、再度反対逆赤（強陽性）色とな第１４図に図示する、パロット上中下赤緑赤色模様付、ｕｖカット付安全傘（Ｔ．８２０）」  ７６．本（願）発明デザイン（色）に指定されて発明される色彩（拒絶）色中、日傘をも含ませ、透明性（色）のものは、太陽光（ｕｖ）カットできる傘布迄を用い、之れを光沢のあるビニール傘の頭頂部分と傘の裾部分に三重重ねの色彩色にする第一重目には、紫（強陰性）色の再帰光（色）の強い反射布を配色塗布し、７７．第二重目には、オレンヂ（中陽性）色の再帰性光（色）の強い反射布を配色塗布し、７８．第三重目の外側には、再度反対逆（拒絶）色となる紫（強隠性）色の再帰光光（色）の強い反射布を之れに配色塗布している事を��５図に図示する、「パロット上中下紫オレンヂ、紫模様付ｕｖカット付安全傘（Ｔ．８２１）  ７９．本（願）発明デザイン色に指定されて、発明される色彩（拒絶）色中、之れをして、日傘をも含ませ、透明性（色）のものは、太陽光（ｕｖ）カットできる傘布迄を用い、之れを光沢のあるビニール傘の頭頂部分と、傘の裾部分に三重重ねの色彩色にする、第一重目にはオレンヂ（中陽性）色の再帰性光（色）の強い反射布を、之れに配色塗布し、８０．第二重目は、黒（強陰性）色の再帰性光（色）の強い反射布を配色塗布し、８１．三重目の外側には、再度、反対（逆）拒絶色となる、オレンヂ（中陽性）色の強い反射布を、之れに配色塗布している事を１６図に図示する、「パロット上中下オレンヂ黒オレンヂ模様付ｕｖカット付安全傘（Ｔ．８２２）」  ８２．本（願）発明デザイン色に指定されて、発明される色彩（拒絶）色中、之れをして、日傘をも含ませ、透明性（色）のものは、太陽光（ｕｖ）カットできる傘布迄を用い、之れを光沢のあるビニール傘の頭頂部分と、傘の裾部分に三重重ねの色彩色にする、第一重目には、ピンク（中陰陽性）色の再帰性光（色）の強い反射布を之れに配色塗布し、８３．二重目は黄（弱陰陽性）色再帰光（色）の強い反射布を配色塗布し、８４．三重目の外側には、更に反対逆（拒絶）色となる赤（強陽性）色の強い反射布を之れに配色塗布している事を１７図に図示する、「パロット上中下ピンク、黄、赤色模様付ｕｖカット付安全傘（Ｔ．８２３）」  ８５．本（願）発明デザイン色に指定されて、発明される、色彩（拒絶）色中、之れをして、日傘を
2019198616.tif 000012
三重重ねの色彩色にする、第一重目には、緑（中陰性）色の再帰性光（色）の強い反射布を之れに配色塗布し、８６．二重目は黄（弱陽性）色の再帰性光（色）の強い反射布を配色塗布し、８７．三重目の外側には再度、反対逆（拒絶）色となる、緑（中陰性）色の強い反対布を之れに配色塗布している事を１８図に図示する、「パロット上中下緑黄色緑色模様付ｕｖカット付安全傘（Ｔ．８２４）  ８８．本（願）発明デザイン色に指定されて、発明される、色彩（拒絶）色中、之れをして、日傘をも含ませ透明性（色）のものは、太陽光（ｕｖ）カットできる傘布迄を用い、之れを光沢のあるビニール傘の頭頂部分と傘の裾部分に三重重ねの色彩色にする、第一重目には、黄（弱陽陽性）色の再帰性（色）の強い反射布を之れに配色塗布し、８９．第二重目は青（強陰性）色の再帰性光（色）の強い反射布を配色塗布し、９０．三重目の外側には、再度、黄色逆（拒絶）色の強い反射布を之れに配色塗布している事を図１９に図示する「パロット上中下黄色青色黄色模様付ｕｖカット付安全傘（Ｔ．８２５）」  ９１本（願）発明デザイン色に指定されて発明される、色彩色彩（拒絶）色中、之れをして、日傘をも含ませ、透明性（色）のものは、太陽光（ｕｖ）カットできる傘布迄を用い、之れを光沢のあるビニール傘の頭頂部分と、傘の裾部分に三重重ねの色彩色にする、第一重目には、青（強陰性）色の再帰性光（色）の強い反射布を之れに配色塗布し、９２．第二重目は、黄（弱陰陽性）色の再帰性光（色）の強い反射布を配色塗布し、９３．三重目の外側には、更に反対逆（拒絶）色となる赤（強陽性）色の強い反射布を、之れに配色塗布している事を２０図に図示する、「パロット上中下青黄赤色模様付ｕｖカット付安全傘（Ｔ．８２６）」  ９４．本（願）発明デザイン色に指定されて発明される、色彩（拒絶）色中、之れをして、日傘をも含ませ、透明性（色）のものは、太陽光（ｕｖ）カットできる傘布迄を用い、之れを光沢のあるビニール傘の頭頂部分と傘布の裾部分に三重重ねの色彩色にする第一重目には、赤（強陽性）色の再帰性光（色）の強い反射布を之れに配色塗布し  ９５．第二重目は黄（弱陰陽性）色の再帰性光（色）の強い反射布を配色塗布し、９６．三重目の外側には、更に反対逆（拒絶）色となる緑（中陰性）色の強い反射布を之れに配色塗布している事を２１図に図示する、「パロット上中下赤黄緑色模様付ｕｖカット付安全傘（Ｔ．８２７）」  ９７．本（願）発明デザイン色に指定されて発明される色彩（拒絶）色中、之れをして、日傘をも含ませ透明性（色）のものは、太陽光（ｕｖ）カットできる傘布迄を用い、之れを光沢のあるビニール傘布の裾部位に再帰性光（色）の強い茶色の棒線を一本づつ描き  ９８．そこに緑色の葉と茎を持ち、９９．更に反対（逆）拒絶色となる、赤色、黄色、白色等の花びらを持つチューリップやバラの絵模様を傘布の反射布に配色、塗布して造られ、図２２に示される、「パロット赤白緑茶色花模様付、ｕｖカット付安全傘（Ｔ．８２８）」を図示。
【図１】
2019198616.tif 000013
【図２】
2019198616.tif 000014
【図３】
2019198616.tif 000015
【図４】
2019198616.tif 000016
【図５】
2019198616.tif 000017
【図６】
2019198616.tif 000018
【図７】
2019198616.tif 000019
【図８】
2019198616.tif 000020
【図９】
2019198616.tif 000021
【図１０】
2019198616.tif 000022
【図１１】
2019198616.tif 000023
【図１２】
2019198616.tif 000024
【図１３】
2019198616.tif 000025
【図１４】
2019198616.tif 000026
【図１５】
2019198616.tif 000027
【図１６】
2019198616.tif 000028
【図１７】
2019198616.tif 000029
【図１８】
2019198616.tif 000030
【図１９】
2019198616.tif 000031
【図２０】
2019198616.tif 000032
【図２１】
2019198616.tif 000033
【図２２】
2019198616.tif 000034
【手続補正書】
【提出日】平成30年8月6日(2018.8.6)
【手続補正１】
【補正対象書類名】明細書
【補正対象項目名】０００７
【補正方法】変更
【補正の内容】
【０００７】
【図面の簡単な説明】
【図１】
一昔前、雨天候時は、天候時の時より、交通事故がどうしても多く増えるのは、無理もない事であったが、傘を差しての目かざし歩行や、無謀な傘を差しての自転車走行に於いては、歩行者側の視界がどうしても悪くなり、多くの交通事故が生じていた頃、傘布の一部分に小窓の様な、透明なビニール枠が傘布に嵌め込む発明が成されると、大当りする発明となったが、その模様等が副因図に図示され、
【図２】
その後、傘製造会社側では、一層、傘全体を光沢のある透明製にして、大量生産化に乗り出す事、大人向けの傘（布）の発明が成されると、ワンコインショップでも気軽に購入できる他、安値で爆発的な売れ行きが続く物となり、雨天候時に於ける視界の悪さも解消される事が成される事を（副因図の）模様に図示し、
【図３】
光沢のある透明の傘に、白と黒色、白と紫色、白と青色、白と緑色、白と竹色とする他、赤とピンク色、赤と黄色、赤と黒色、赤と紫色、赤と青色にして、三角形にデザインされた「拒絶色」模様が傘布に配色塗布されている事を図示。
【図４】
小児用でなくとも、特にコドモはコドモであり、「コドモ」と、「お年寄」は、赤信号と叫けばれる中で、コドモとお年寄り向けの傘や、普通の大人が持つ傘にも、やはり透明性を持たせる素通しの隙間を持たせて、視界、視野を効かせる傘の発明品に、本発明デザイン（色）に指定され、本発明される注意色を反対色にして、「拒絶色」となる色彩色を傘（布）に配色、塗布した場合、スピードを持つものを操縦していた者が、この発明される「色彩拒絶色」を見る時、怖い物である。とする、注意力が集中し、急にスピード等を下げる等の効果、効力のあるものとなる色合いに発見され、発明される中、そこで、之れ等透明性のある傘に、「拒絶色」と呼ばれる、本発明（色）に指定される、「色彩拒絶色」中、本発明図と発明符説で説明される、次から示す模様を付ける、第一重目の中心部は、赤（強陽性）色を配色塗布し、外側の二重目の円には、反対色となる白（弱陰性）色を塗り、三重目の更に外側になる円には、再度反対（拒絶）色となる、ピンク（中陽性）色を配色塗布して創る拒絶色が発明され、又、傘の柄の下地色には、赤、若しくはピンク色にし、その合間、合間には、白い円形の水玉模様が複数色塗り込まれている事を図示。（Ｔ．８０２号図）
【図５】
本発見デザイン（色）に指定される「色彩拒絶色」中、本発明図と発明符説で次から示される亀甲模様を透明性のある傘布に塗布する第一重目の中心部は、赤（若しくは、ピンクの強中陽性）を塗布し、二重目には、反対色となる緑（若しくは、竹色、中弱隠性）色彩色を塗り、三重目の外側には、又、反対色となる赤（若しくは、ピンク強中陽性）色彩色を配色して出来ている事を示す図となり、傘の柄の下地色に緑色を用い、そこに、赤色の亀甲模様の複数色を塗り込んで亀甲形の模様をして、拒絶色を形成する傘になっている事を図示。（Ｔ．８１１号図）
【図６】
本発明デザイン（色）に指定されて発明される色彩（拒絶）色中、これを光沢のある透明のビニール傘に放射線状に配色、塗布する、第一次色には、紫（若しくは簿紫の強中陰性）色を配色し、二次目の中心部には黄（弱陽性）色の反対色をして、三次色の外側には、又、紫（若しくは簿紫の強中陰性）色を配色、塗布している事を表わしている図を（Ｔ．８１２号図に）図示し、
【図７】
本発明デザイン（色）に指定される「色彩拒絶色」中、本発明図と、発明図説で説明される次から示される虎模様を透明の傘布に配色、塗布される、第一次色は赤色を配色する、黒（第二次）色と、黄（第三次）色彩色の間、間には、赤（強陽性）色を配色される、虎模様が石突き部に至る迄、渦巻状になって出来ている事を示す図となった。又、傘の柄を虎模様にする、一次目は、小さ目の赤色を配色し、二次目は黒色を配色し、三次目は、黄色を配色、塗布している図を（Ｔ．８１３号図で）図示し、
【図８】
本発明、デザイン（色）に指定される、色彩（拒絶）中、之れを光沢のある透明のビニール傘に螺施状に配色塗布する第一次色は、赤（強陽性）色を配色する、二次色は、ピンク（中陽性緩和）色彩色を塗り、第三次色は、白（弱隠性）色を配色塗布して出来ている事を示し、紅白ピンクの連続線模様が、石突部まで渦巻螺施状に配色塗布されている事を示している図となり、傘の柄の色彩色の第一次色は、赤色を配色し、二次色はピンクを配色し、三次色目は、反対色となる白色を配色、塗布している図を（Ｔ．８１４図で、）図示し、
【図９】
本発明デザイン（色）に指定される色彩（拒絶）色中、之れを光沢のある透明のビニール傘に、ハウス型に配色塗布する色彩色の第一重目の中心部は、緑（若しくは簿緑）色を配色し、二重目には、反対色となる黄（若しくはオレンヂ）色彩色を
2019198616.tif 000035
【図１０】
本発明デザイン（色）に指定されて発明される色彩（拒絶）色中、之れをビニールの透明の傘布に、三つ星模様にして、配色塗布する一番上の星模様はオレンヂ色にし、左り下の星模様は、緑色にし、右下の星模様は、赤色にし、三色一組にして造られるものとし、之の傘の柄の下地色は、オレンヂ色を配色して造る他、その合間、合い間には、赤色の星模様や、青色の星模様が配色塗布されて造られ、第１０図に示される、「パロット赤オレンヂ青色星模様付ｕｖカット付安全傘（Ｔ．８１６）を図示。
【図１１】
本発明デザイン（色）に指定されて発明される色彩（拒絶）色中、これを光沢のある透明のビニール傘に配色、塗布する色彩色の第一重目のレ印の内部は、赤（若しくはピンク）色を配色し、二重目には、反対色となる青（若しくは水色）色彩色を塗り、三重目の外側には、黄（若しくはオレンヂ）色彩色を「レの字」型に配色して出来ている事を示す図であり、傘の柄の下地色に青色を用い、そこに、赤色、ピンク色、黄色等の「レの字」模様を複数塗り込んで拒絶色になっている事を（Ｔ．８１７図に、）図示し、
【図１２】
本発明デザイン（色）に指定されて発明される色彩（拒絶）色中、これを光沢のある透明のビニール傘に配色、塗布する色彩色の第一重目の中心部には、赤（若しくはピンク）色を配色し、二重目には反対色となる黄色（若しくはオレンヂ）色を塗り、三重目の外側には、黒、色彩色を□（四角形）に配色して出来ている事を示す図であり、傘の柄の下地色に赤色を用いた場合、青色の四角模様を塗り込んで拒絶色になっている事を（Ｔ．８１８図で）図示し、
【図１３】
本発明デザイン（色）に指定されて発明される色彩（拒絶）色中、之れを光沢のある透明のビニール傘の頂上部分と、傘の裾部分に、赤、白、赤色の反対色を順に配色、塗布して創られる時、忌避性が強くなり、之れ等の色彩色を見る自動者（若しくは、航行機を含む、）の操縦者（の脳視神経では危険を感知してスピード等を落とす等、効力のある作用色となる、色彩色が（Ｔ．８１９図に、）発見された図を示し、
【図１４】
本発明デザイン（色）に指定されて発明される色彩（拒絶）色中、之れを透明性のある傘の頂上部分と、傘の裾部分に、赤緑、赤色の反対色を順に、配色、塗布して創られる時、忌避性が強くなり、之れ等の色彩色を見る自動車（航行機を含む、）操縦者（の脳視神経）では、危険を感知して、スピード等を落とす等、効力のある作用色となる色彩色が発明された図を（Ｔ．８２０図に、）示し
【図１５】
本発明デザイン（色）に指定されて発明される色彩（拒絶）色中、之れ等を透明性のある傘の頂上部分と、傘の裾部分に、紫、黄、紫色の反対色を順に、配色、塗布して創られる時、忌避性が強くなり、之れ等の色彩色を見る自動車（航行機等を含む、）操縦者（の脳視神経）では、危険を感知して、スピード等を落す等、効力のある作用色となる色彩色が（Ｔ．８２１図に、）発明された図を図示し、
【図１６】
本発明デザイン（色）に指定されて発明される色彩（拒絶）色中、之れ等を透明性のある傘の頂上部分と傘の裾部分に黄色、黒色、黄色の、反対色を順に、配色、塗布して創られる時、忌避性が強くなり、之れ等の色彩色を見る自動車（航行機等を含む、）操縦者（の脳視神経）では、危険を感知して、スピード等を落す等、効力のある作用色となる色彩色が（Ｔ．８２２図に、）発明された図を図示し、
【図１７】
本発明デザイン（色）に指定されて発明される色彩（拒絶）色中、之れ等を透明性のある傘の頂上部分と傘の裾部分にピンク色、黄色赤色の反対色を順に配色、塗布して創られる時、忌避性が強くなり、之れ等の色彩色を見る自動車（航行機等を含む、）操縦者（の脳視神経）では、危険を感知して、スピード等を落す等、効力のある作用色となる色彩色が（Ｔ．８２３図に、）発明された図を図示し、
【図１８】
本発明デザイン（色）に指定されて発明される色彩（拒絶）色中、之れ等を透明性のある傘の頂上部分と、傘の裾部分に、緑色、黄（若しくはオレンヂ）色をして、又、緑色の反対色を順に配色、塗布して、造られる時、忌避性が強くなり、之れ等の色彩色を見る自動車（航行機等を含む、）等の操縦者（の脳視神経）では危険を感知し、（Ｔ８２４図に示される、）スピード等を落とす等、効力のある作用となる色彩色が発明された図を図示し、
【図１９】
本発明デザイン（色）に指定されて発明される色彩（拒絶）色中、之れ等を透明性のある傘の頂上部分と、傘の裾部分に黄（若しくはオレンヂ）色、青色を塗布する他、又、黄色の反対色を順に配色、塗布して造られる時、忌避性が強くなり、之れ等の色彩色を見る自動車（航行機等を含む、）等の操縦者（の脳視神経）では危険を感知してスピード等を落とす等（Ｔ．８２５図に示される、）効力のある作用色となる色彩色が発明された図を図示し、
【図２０】
本発明デザイン（色）に指定されて発明される色彩（拒絶）色中、之れ等を透明性のある傘の頂上部分と、傘の裾部分に青色、黄色、赤色を順に配色、塗布して造られる時、忌避性が強くなり、之れ等の色彩色を見る自動車（航行機等を含む）等の操縦者（の脳視神経）では、危険を感知してスピード等を落とす等（Ｔ．８２６図に示される、）効力のある作用色となる色彩色が発明された図を図示し、
【図２１】
本発明デザイン（色）に指定されて発明される色彩（拒絶）色中、之れ等を透明性のある傘の頂上部分と傘の裾部分に、赤色、黄色、緑色を順に配色、塗布して造られる時、忌避性が強くなり、之れ等の色彩色を見る自動車（航行機等を含む）等の操縦者（の脳視神経）では、危険を感知してスピード等を落とす等効力のある作用色となる色彩色が発明された図を示し、（Ｔ．８２７図）
【図２２】
本発明デザイン（色）に指定されて発明される色彩（拒絶）色中、之れを光沢のある透明のビニール傘の裾の部位に再帰性光（色）の強い茶色の棒線を一本づつ描き、そこに緑色の葉と茎を描き、更に反対（逆）拒絶色となる、赤色、黄色、白色の花びらを持つ、チューリップやバラの絵模様を配色塗布し、之れ等の色彩色を見る自動車（航行機等を含む操縦者の脳視神経）では、危険を感知してスピード等を落とす等、効力のある作用色となる色彩色が発見（発明）された図を図示。（Ｔ．８２８図）
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
本（願）発明デザイン色に指定されて、発明される、色彩（拒絶）色中、之れをして、日傘をも含ませ、透明性（色）のものは、大陽光（ｕｖ）カットできる傘布迄を用い、之れを光沢のある、ビニール傘布と傘の柄の部分、部分に三重模様にする、第一重目の円模様の中心部分には、赤（強陽性）色にし、二重目の円模様は、白（弱陰陽性）色にし、その外側の三重目の円模様は、ピンク（中陽性）色の強い反射布を配色塗布して造られ、第四図に示す、「パロット赤白ピンク拒絶色三重円形模様付ｕｖカット付安全傘（Ｔ．８０２）」
【請求項２】
本（願）発明デザイン色に指定されて、発明される、色彩（拒絶）色中、之れをして、日傘をも含ませ、透明性（色）のものは、太陽光（ｕｖ）カットできる傘布迄を用い、之れを光沢のある、ビニール傘布の部分部分に陰陽性、反対（逆）色の太い二重模様の（内、外側を）三角マークにして、白（若しくは黄）色と反対（逆）色となる黒色の会意（混合）色で造られて、第三図に示す、「パロット白（黄）黒色三角形（拒絶色）模様付ｕｖカット付安全傘（Ｔ．８０３）」
【請求項３】
本（願）発明デザイン色に指定されて、発明される色彩（拒絶）色中、之れをして、日傘をも含ませ、透明性（色）のものは、太陽光（ｕｖ）カットできる傘布迄を用い、之れを光沢のある、ビニール傘布の部分部分に陰陽性反対（逆）色の太い二重模様の（内、外側を）三角マークにして、白（若しくは黄）色と反対（逆）色となる紫色の会意（混合）色で造られて、第三図に示す、「パロット白（黄）紫色三角形（拒絶色）模様付ｕｖカット付安全傘（Ｔ．８０４）」
【請求項４】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のある、ビニール傘布の部分部分に陰陽性反対（逆）色の太い二重模様の（内、外側を）三角マークにして、白（若しくは黄）色と反対（逆）色となる青色の会意（混合）色で造られて、第三図に示す、「パロット白（黄）青色三角形（拒絶色）模様付ｕｖカット付安全傘（Ｔ．８０５）」
【請求項５】
本（願）発明デザイン色に指定されて発明される色彩（拒絶）色中、之れをして、日傘をも含ませ、透明性（色）のものは、大陽光（ｕｖ）カットできる傘布迄を用い、之れを光沢のある、ビニール傘布の部分部分に陰陽性反対（逆）色の太い二重模様の（内、外側を）三角マークにして、白（若しくは黄）色と反対（逆）色となる緑色の会意（混合）色で造られて、第三図に示す「パロット白（黄）緑色三角形（拒絶色）模様付ｕｖカット付安全傘（Ｔ．８０６）」
【請求項６】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のある、ビニール傘布の部分部分に陰陽性反対（逆）色の太い二重模様の（内、外側を）三角マークにして、白（若しくは、黄）色と反対（逆）色となる竹色の会意（混合）色で造られて、第三図に示す「パロット白（黄）竹色三角形（拒絶色）模様付ｕｖカット付安全傘（Ｔ．８０７）」
【請求項７】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のあるビニール傘布の部分部分に陰陽性反対（逆）色の太い二重模様の（内、外側を、）三角マークにして、（対抗して、）反対（逆）拒絶色となるピンク色の会意（混合）色で造られて、第三図に示す、「パロット赤ピンク三角形（拒絶色）模様付ｕｖカット付安全傘（Ｔ．８０８）」
【請求項８】
本（願）発明デザイン色に指定されて発明される、色彩（拒絶）色中、之れをして、日傘をも含ませ、透明性（色）のものは、太陽光（ｕｖ）カットできる傘布迄を用い、之れを光沢のある、ビニール傘布の部分部分に陰陽性反対（逆）色の太い二重模様の（内、外側を）三角マークにして、赤色と（対抗して、）反対（逆）拒絶色となる、白（若しくは黄）色の会意（混合）色で造られて、第三図に示す、「パロット赤白（黄）色三角形（拒絶色）模様付ｕｖカット付安全傘（Ｔ．８０９）」
【請求項９】
本（願）発明デザイン色に指定されて発明される、色彩（拒絶）色中、之れをして、日傘をも含ませ、透明性（色）のものは、太陽光（ｕｖ）カットのできる傘布迄を用い、之れを光沢のある、ビニール傘布の部分部分に陰陽性反対（逆）色の太い二重模様の（内、外側を）三角マークにして造り、外側の三角形模様は、赤（強陽性）色にし、内側の対抗色となる黒、紫、青色等の（陰性色にある、）三角模様は、第三図に示す、「パロット赤（黒紫青）色三角形（拒絶色）模様付安全傘（Ｔ．８１０）」
【請求項１０】
本（願）発明デザイン色に指定されて発明される、色彩（拒絶）色中、之れをして、日傘をも含ませ、透明性（色）のものは、太陽光（ｕｖ）カットのできる傘布迄を用い、之れを光沢のある、ビニール傘布の部分部分に陰陽性反対（逆）色の太い三重模様の亀甲色マークにして、造り、亀甲マークの中心部には、赤（強陽性）色等を配色塗布し、二重目には、反対色となる緑（中陰性）色を配色塗布し、その外側の三重目には、又、反対色となる赤（強陽性）色等亀甲（色）模様にして、配色塗布し、之の傘の柄の下地色には、緑色を用い、そこの合間、合間には、（小さ目の）数多くの亀甲色模様を多く塗り込んで配色塗布している事を図５に示す、「パロット赤緑色等、亀甲（拒絶色）模様付ｕｖカット付安全傘（Ｔ．８１１）」
【請求項１１】
本（願）発明デザイン色に指定されて発明される、色彩（拒絶）色中、之れをして、日傘をも含ませ、透明性（色）のものは、太陽光（ｕｖ）カットのできる傘布迄を用い、本（願）発明デザイン色に指定される、第一次色目には、紫（強陰性）色を配色塗布し、第二次色目の中心部には、オレンヂ（中陽性）色の反対（逆）拒絶色を挟み込み、第三次色となる外側には、又、紫（強陰性）等色等を配色塗布しながら、之の傘の柄にも第一次色にはオレンヂ色を配色し、第二次色目には、紫色をして、その様に順次、繰り返して、配色、塗布される「拒絶色」を傘の図柄模様にして造られ、図６に示される、「パロットオレンヂ、紫色等枝垂れ模様（拒絶色）付ｕｖカット付安全傘（Ｔ．８１２）」
【請求項１２】
本（願）発明デザイン色に指定されて発明される、色彩（拒絶）色中、之れをして、日傘をも含ませ、透明性（色）のものは、太陽光（ｕｖ）カットのできる傘布迄を用い、本発明図と発明符説で説明され、次から示される虎模様を透明の傘に、塗布、若しくは、配色される、第一次色は、黄色を配色され、第二次色目には、黒色を配色する、黒（強陰性）色と、黄（弱陽性）色の間には、小さ目の赤（強陽性）色を配色塗布される、虎模様が傘布の裾部から傘の石突き部迄渦巻線状になって続いている事を図示する、傘の柄側でも、虎模様が配色、塗布される、その第一次色目は、小さ目の赤色を配色し、第二次色目は、黒色を配色し、第三次色目は、黄色を配色、塗布して造られ、図７に示す、「パロット黄赤黒色虎模様（拒絶色）付ｕｖカット付安全傘（Ｔ．８１３）」
【請求項１３】
本願発明デザイン色に指定されて発明される、「色彩拒絶色」中、本発明図と発明符説で説明され、次から示される渦巻螺施状模様を透明の傘布に配色塗布される、第一次色は、赤（強陽性）色を配色され、第二次色目には、ピンク（中陽性）色を配色塗布し、第三次色は、白（弱陰性）色を配色塗布して出来ている事を示し、赤ピンク白色等の連続線模様が傘布の裾から傘の石突き部迄続いている事を図示する事と共に、傘の柄にも赤色を第一次色にし、第二次色をピンク色にし、第三次色を白色の互い違い色にし、配色塗布して造られ、図８に示される、パロット赤ピンク白色渦巻螺施模様（拒絶色）付ｕｖカット安全傘（Ｔ．８１４）」
【請求項１４】
本願発明デザイン色に指定されて発明される、「色彩拒絶色」中、本発明図と発明符説で説明され、次から示される色彩（拒絶）色中、之れをビニールの透明の傘布にハウス形模様をして配色塗布する、第一重目の中心部（色）は、緑（中陰性）色にし、外側の第二重目の配色塗布は、オレンヂ（中陽性）色にし、更なる外側の三重目（色）には、又、緑（中陰性）色等にして造る他、之の傘の柄の色彩下地色には緑色等を用い、そこにオレンヂ色のハウス形模様を配色塗布して造られ、図９に示される、「パロット緑オレンヂ色ハウス模様（拒絶色）付ｕｖカット付安全傘（Ｔ．８１５）」
【請求項１５】
本願発明デザイン色に指定されて発明される、「色彩拒絶色」中、本発明図と発明符説で説明され、次から示される色彩（拒絶）色中、之れをビニールの透明の傘布に三つ星模様にして配色塗布する、一番上の星模様はオレンヂ（中陽性）色にし、左り下の星模様は、緑（中陰性）色にし、右下の星模様は、赤（強陽性）色にし、三色一組にして造られるものとし、之の傘の柄の下地色はオレンヂ（中陽性）色を配色して造る他、その合間、合間には、赤色の星模様や、青色の星模様等が配色塗布されて造られ、第１０図に示される、「パロット赤オレンヂ青色星模様（拒絶色）付ｕｖカット付安全傘（Ｔ．８１６）」
【請求項１６】
本（願）発明デザイン色に指定されて発明される、「色彩拒絶色」中、本発明図と発明符説で説明され、次から示される色彩（拒絶）色中、之れをして、透明性（色）のものは、太陽光（ｕｖ）カットできる傘布迄にも、「レの字（色）形を配色塗布し、之の配色される、第一重目の内側には、赤（強陽性）色を配色し、第二次色目の中心部には、オレンヂ（中陰陽性）色を配色し、第三次色目の外側には、青（強陰性）色を配色している図となり、傘の柄の下地色に青色を用い、そこに「オレンヂ色のレの字模様」や、赤色の「レの字模模様色」を数多く塗り込んで拒絶色模様となっている事を、第１１図に示される、「パロット赤黄青色レの字模様（拒絶色）付ｕｖカット付安全傘（Ｔ．８１７）」
【請求項１７】
本（願）発明デザイン色に指定されて発明される、「色彩拒絶色」中、本発明図と、発明符説で説明され、次から示される色彩（拒絶）色中、之れをして、透明性（色）のものは大陽光（ｕｖ）カットできる傘布迄にも「四角（色）形を配色」し、塗布する、第一重目の中心部には、赤（強陽性）色を配色し、第二次色目には、オレンヂ（中陰陽性）色を配色し、第三次目の外側には、黒（強陰性）色を配色して出来、傘の柄の下地色に赤（強陽性）色を用い、そこに反対逆拒絶色となる青色の四角形が施こされている事を示し、第１２図に示される「パロット赤オレンヂ黒色四角形模様（拒絶色）付ｕｖカット付安全傘（Ｔ．８１８）」
【請求項１８】
本（願）発明デザイン色に指定されて、発明される色彩（拒絶）色中、之れをして日傘をも含ませ、透明性（色）のものは、太陽光（ｕｖ）カットできる傘布迄を用い、之れを光沢のあるビニール傘の頭頂部分と、傘の裾部分に三重重ねの色彩色にする第一重目には、赤（強陽性）色の再帰性光（色）の強い反射布を之れに配色、塗布し、第二重目は、白（弱陰性）色の再帰性光（色）の強い反射布を配色塗布し、第三重目の外側には、再度、反対（拒絶）色となる、赤（強陽性）色の再帰性光（色）の強い反射布を之れに配色塗布している事を１３図に図示する、「パロット上中下赤白赤模様（拒絶色）付ｕｖカット付安全傘（Ｔ．８１９）」
【請求項１９】
本（願）発明デザイン色に指定されて、発明される色彩（拒絶）色中、之れをして、日傘をも含ませ、透明性（色）のものは、太陽光（ｕｖ）カットできる傘布迄を用い、之れを光沢のあるビニール傘の頭頂部分と、傘の裾部分に三重重ねの色彩色にする第一重目には、赤（強陽性）色の再帰性（光）色の強い反射布を之れに配色塗布し、第二重目には、緑（中陰性）色等の再帰性光（色）の強い反射布を配色塗布し、三重目の外側には再度反対逆赤（強陽性）色を配色塗布するものとなり、第１４図に図示する、パロット上中下赤緑赤色模様（拒絶色）付ｕｖカット付安全傘（Ｔ．８２０）」
【請求項２０】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のあるビニール傘の頭頂部分と、傘の裾部分に三重重ねの色彩色にする第一重目には、紫（強陰性）色の再帰性光（色）の強い反射布を配色塗布し、第二重目には、オレンヂ（中陽性）色の再帰性光（色）の強い反射布を配色塗布し、第三重目の外側には、再度反対逆（拒絶）色となる紫（強陰性）色の再帰性光（色）の強い反射布を之れに配色塗布している事を１５図に図示する、「パロット上中下紫オレンヂ紫色模様（拒絶色）付ｕｖカット付安全傘（Ｔ．８２１）」
【請求項２１】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のあるビニール傘の頭頂部分と、傘の裾部分に三重重ねの色彩色にする第一重目にには、黄（弱陽性）色の再帰性光（色）の強い反射布を之れに配色塗布し、第二重目は、黒（強陰性）色の再帰性光（色）の強い反射布を配色塗布し、三重目の外側には、再度、反対（逆）拒絶色となる黄（弱陽性）色の強い反射布を、之れに配色塗布している事を１６図に図示する、パロット上中下オレンヂ黒オレンヂ色模様（拒絶色）付ｕｖカット付安全傘（Ｔ．８２２）」
【請求項２２】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のあるビニール傘の頭頂部分と傘の裾部分に三重重ねの色彩色にする、第一重目には、ピンク（中陰陽性）色の再帰性光（色）の強い反射布を、之れに配色塗布し、二重目は、黄（弱陰陽性）色の強い反射布を配色塗布し、三重目の外側には、更に反対逆（拒絶）色となる、赤（強陽性）色の強い反射布を之れに配色塗布している事を１７図に図示する、「パロット上中下ピンク黄赤色模様（拒絶色）付ｕｖカット付安全傘（Ｔ．８２３）」
【請求項２３】
本（願）発明デザイン色に指定されて発明される、色彩（拒絶）色中、之れをして、日傘をも含ませ、透明性（色）のものは、太陽光（ｕｖ）カット出来る傘布迄を用いて、之れを光沢のあるビニール傘の頭頂部と、傘布の裾部分に三重重ねの色彩色にする、第一重目には緑（中陰性）色の再帰性光（色）の強い反射布を之れに配色塗布し、二重目は黄（弱陰陽性）色の再帰性光（色）の強い反射布を配色塗布し、三重目の外側には、再度、反対逆（拒絶）色となる、緑（中陰性）色の強い反射布を之れに配色塗布している事を１８図に図示する、「パロット上中下緑黄色緑色模様（拒絶色）付ｕｖカット付安全傘（Ｔ．８２４）」
【請求項２４】
本（願）発明デザイン色に指定されて発明される色彩（拒絶）色中、之れをして、日傘をも含ませ、透明性（色）のものは、太陽光（ｕｖ）カットできる傘布迄を用いて、之れを光沢のあるビニール傘の頭頂部と、傘布の裾部分に三重重ねの色彩色にする、第一重目には、黄（弱陰陽性）色の再帰性（色）の強い反射布を之れに配色塗布し、第二重目は、青（強陰性）色の再帰性光（色）の強い反射布を配色塗布し、三重目の外側には、再度、黄色逆（拒絶）色の強い反射布を之れに配色塗布している事を図１９に図示する、「パロット上中下黄青黄色模様（拒絶色）付ｕｖカット付安全傘（Ｔ．８２５）」
【請求項２５】
本（願）発明デザイン色に指定されて発明される色彩（拒絶）色中、之れをして、日傘をも含ませ、透明性（色）のものは、太陽光（ｕｖ）カットできる傘布迄を用いて、之れを光沢のあるビニール傘の頭頂部と傘布の裾部分に三重重ねの色彩色にする、第一重目には、青（強陰性）色の再帰性光（色）の強い反射布を之れに配色塗布し、第二重目は黄（弱陰陽性）色の再帰性光（色）の強い反射布を配色塗布し、三重目の外側には、更に反対逆（拒絶）色となる赤（強陽性）色の強い反射布を、之れに配色塗布している事を２０図に図示する、「パロット上中下、青黄赤色模様（拒絶色）付ｕｖカット付安全傘（Ｔ．８２６）
【請求項２６】
本発明デザイン（色）に指定されて発明される色彩（拒絶）色中、之れ等を透明性のある傘の頂上部と、傘の裾部分に、赤色、黄色、緑色を順に配色、塗布して造られる時、忌避性が強くなり、之れ等の色彩色を見る自動車（航行機等を含む）等の操縦者（の脳視神経）では危険を感知してスピード等を落とす等効力を発揮させる事の出来る、再帰性光色の強い反射布に配色塗布して造り、図２１に図示する、「パロット赤黄緑色模様（拒絶色）付ｕｖカット付安全傘（Ｔ．８２７）」
【請求項２７】
本（願）発明デザイン色に指定されて発明される色彩（拒絶）色中、之れをして、日傘をも含ませ、透明性（色）のものは、太陽光（ｕｖ）カットできる傘布迄を用い、之れを光沢のあるビニール傘布の裾部位に再帰性光（色）の強い茶色の棒線を一本（づつ）描き、そこに緑色の葉と茎を描き、更にそれ等には反対（逆）拒絶色となる、赤色、黄色、白色等の花びらを持つチューリップや、バラの絵模様を傘布の裾の部位に配色塗布して造られ図２２に示される、「パロット赤白黄緑茶色花模様付ｕｖカット付安全傘（Ｔ．８２８）